(57)【要約】  本技術は、電子チケットでの入場をスムースに行うことができるようにする情報処理装置、情報処理方法、プログラム、及び、情報処理システムに関する。電子チケットでの入場の可否の判定に用いられるID情報を所定の画像に重畳した重畳画像を撮影した撮影画像から、ID情報を抽出し、電子チケットと、ID情報とを用いて、電子チケットでの入場の可否を判定する。本技術は、例えば、イベント会場等への入場をチェックする入場ゲートシステム等に適用することができる。
2016125603.tif 000002
【特許請求の範囲】
【請求項１】
電子チケットでの入場の可否の判定に用いられるID情報を所定の画像に重畳した重畳画像を撮影した撮影画像から、前記ID情報を抽出する抽出部と、
記憶部に記憶された前記電子チケットと、前記ID情報とを用いて、前記電子チケットでの入場の可否を判定する入場可否判定部と
を備える情報処理装置。
【請求項２】
前記重畳画像を提供する提供装置は、前記ID情報を、時間的輝度変化として、前記所定の画像に重畳し、
前記撮影画像は、前記重畳画像をフォーカルプレーンシャッタ方式のカメラで撮影した画像であり、
前記抽出部は、前記撮影画像の空間的輝度変化に基づいて、前記ID情報を抽出する
請求項１に記載の情報処理装置。
【請求項３】
前記提供装置は、
バックライトを有し、画像を表示する表示部を備え、
前記ID情報に従って、前記バックライトの輝度を制御することにより、前記所定の画像に、前記ID情報を重畳する
請求項２に記載の情報処理装置。
【請求項４】
前記提供装置は、
前記所定の画像が印刷された印刷物を照明する照明装置を備え、
前記ID情報に従って、前記照明装置による照明の輝度を制御することにより、前記所定の画像に、前記ID情報を重畳する
請求項２に記載の情報処理装置。
【請求項５】
前記抽出部は、
前記撮影画像の画素のうちの、背景画素のみを対象として、画素値の積分を、ラインごとに行うことにより、ライン積分値を求め、
前記撮影画像のラインすべての前記ライン積分値の平均値に対する前記ライン積分値の偏差を求め、
前記カメラのシャッタの特性を表すシャッタ関数を用いて、前記ライン積分値の偏差のデコンボリューションを行うことで、前記撮影画像に重畳された前記ID情報を分離する
請求項２に記載の情報処理装置。
【請求項６】
前記カメラは、ラインごとに異なる露光時間である第１の露光時間及び第２の露光時間で、前記重畳画像を撮影し、
前記第１の露光時間は、前記撮影画像の輝度が変化する周期の整数倍の時間であり、
前記抽出部は、
前記重畳画像を、ラインごとに異なる露光時間で撮影することにより得られる前記撮影画像の、前記第１の露光時間で撮影された画素の画素値の積分を、ラインごとに行うことにより、第１の積分値を求めるとともに、前記第２の露光時間で撮影された画素の画素値の積分を、ラインごとに行うことにより、第２の積分値を求め、
前記第２の積分値が、前記ID情報と前記第２の露光時間を表すシャッタ関数とのコンボリューションと、前記第１の積分値との積に比例することを利用して、前記撮影画像に重畳された前記ID情報を分離する
請求項２に記載の情報処理装置。
【請求項７】
前記電子チケットでの入場の可否の判定結果を表す結果画像を表示する結果表示部をさらに備える
請求項１に記載の情報処理装置。
【請求項８】
前記結果画像は、前記電子チケットに対応付けられている
請求項７に記載の情報処理装置。
【請求項９】
前記重畳画像を撮影して、前記撮影画像を取得するカメラをさらに備え、
前記カメラ、及び、前記結果表示部は、同一の面に設けられている
請求項７に記載の情報処理装置。
【請求項１０】
前記結果表示部が前記結果画像を表示した後、前記抽出部が前記ID情報を抽出することができなくなった場合、前記ID情報を抽出することができなくなってから、所定の時間が経過した後に、前記結果表示部に表示された前記結果画像を消去する
請求項７に記載の情報処理装置。
【請求項１１】
前記記憶部は、前記電子チケットの使用回数を記憶し、
前記入場可否判定部は、前記使用回数が上限値を超えている場合、前記電子チケットでの入場が不可であると判定する
請求項１に記載の情報処理装置。
【請求項１２】
ユーザの生体情報を取得する生体センサと、
前記生体情報を用いて、認証を行う認証部と
をさらに備え、
前記生体情報を用いた認証の結果によっても、前記電子チケットでの入場の可否を判定する
請求項１に記載の情報処理装置。
【請求項１３】
前記生体センサで取得された生体情報である取得生体情報を、前記電子チケットの最初の使用時に、登録生体情報として、前記電子チケットに対応付けて記憶し、
前記認証部は、前記取得生体情報と前記登録生体情報とを比較することにより、認証を行う
請求項１２に記載の情報処理装置。
【請求項１４】
前記生体センサで取得された生体情報である取得生体情報を、前記電子チケットが使用される前に、登録生体情報として、前記電子チケットに対応付けて記憶し、
前記認証部は、前記取得生体情報と前記登録生体情報とを比較することにより、認証を行う
請求項１２に記載の情報処理装置。
【請求項１５】
前記生体センサは、画像を撮影するカメラであり、
前記認証部は、前記生体センサとしてのカメラで撮影された前記生体情報としての顔の画像を用いて、顔画像認証、又は、虹彩認証を行う
請求項１２に記載の情報処理装置。
【請求項１６】
前記生体センサは、指紋を取得する指紋センサであり、
前記認証部は、前記指紋センサで取得された指紋を用いて、指紋認証を行う
請求項１２に記載の情報処理装置。
【請求項１７】
前記重畳画像を撮影して、前記撮影画像を取得する第１のカメラと、
前記第１のカメラの背面側に設けられた第２のカメラと
をさらに備え、
前記生体センサは、前記第２のカメラである
請求項１２に記載の情報処理装置。
【請求項１８】
電子チケットでの入場の可否の判定に用いられるID情報を所定の画像に重畳した重畳画像を撮影した撮影画像から、前記ID情報を抽出し、
記憶部に記憶された前記電子チケットと、前記ID情報とを用いて、前記電子チケットでの入場の可否を判定する
ステップを含む情報処理方法。
【請求項１９】
電子チケットでの入場の可否の判定に用いられるID情報を所定の画像に重畳した重畳画像を撮影した撮影画像から、前記ID情報を抽出する抽出部と、
記憶部に記憶された前記電子チケットと、前記ID情報とを用いて、前記電子チケットでの入場の可否を判定する入場可否判定部と
して、コンピュータを機能させるためのプログラム。
【請求項２０】
電子チケットでの入場の可否の判定に用いられるID情報を所定の画像に重畳した重畳画像を提示する提示装置と、
前記提示装置が提示する前記重畳画像を撮影した撮影画像から、前記ID情報を抽出する抽出部と、
記憶部に記憶された前記電子チケットと、前記ID情報とを用いて、前記電子チケットでの入場の可否を判定する入場可否判定部と
を有する情報処理装置と
を備える情報処理システム。
【発明の詳細な説明】
【技術分野】
【０００１】
本技術は、情報処理装置、情報処理方法、プログラム、及び、情報処理システムに関し、特に、例えば、電子チケットでの入場をスムースに行うこと等ができるようにする情報処理装置、情報処理方法、プログラム、及び、情報処理システムに関する。
【背景技術】
【０００２】
例えば、イベント会場や交通機関等への入場や、座席の予約、購入等について、紙によるチケットに代わり、電子的なチケット（電子チケット）を用いる認証システムが提案されている（例えば、特許文献１や２）。【０００３】
かかる認証システムは、ユーザが所持する端末と、認証を行う認証装置とから構成される。そして、認証装置において、端末から、認証に用いる認証情報としての電子チケットが読み出され、その電子チケットを用いて認証が行われる。
【先行技術文献】
【特許文献】
【０００４】
【特許文献１】特開2010-128629号公報
【特許文献２】特表2008-510231号公報
【発明の概要】
【発明が解決しようとする課題】
【０００５】
上述のように、認証装置において、端末から電子チケットを読み出して認証を行う場合には、電子チケットでの、イベント会場等への入場は、入場ゲートに設置される認証装置の数に大きく制限される。そのため、多人数をスムースに入場させること等が困難である。【０００６】
本技術は、このような状況に鑑みてなされたものであり、電子チケットでの入場をスムースに行うこと等ができるようにするものである。
【課題を解決するための手段】
【０００７】
本技術の情報処理装置、及び、プログラムは、電子チケットでの入場の可否の判定に用いられるID情報を所定の画像に重畳した重畳画像を撮影した撮影画像から、前記ID情報を抽出する抽出部と、記憶部に記憶された前記電子チケットと、前記ID情報とを用いて、前記電子チケットでの入場の可否を判定する入場可否判定部とを備える情報処理装置、又は、そのような情報処理装置として、コンピュータを機能させるためのプログラムである。【０００８】
本技術の情報処理方法は、電子チケットでの入場の可否の判定に用いられるID情報を所定の画像に重畳した重畳画像を撮影した撮影画像から、前記ID情報を抽出し、記憶部に記憶された前記電子チケットと、前記ID情報とを用いて、前記電子チケットでの入場の可否を判定するステップを含む情報処理方法である。【０００９】
本技術の情報処理システムは、電子チケットでの入場の可否の判定に用いられるID情報を所定の画像に重畳した重畳画像を提示する提示装置と、前記提示装置が提示する前記重畳画像を撮影した撮影画像から、前記ID情報を抽出する抽出部と、記憶部に記憶された前記電子チケットと、前記ID情報とを用いて、前記電子チケットでの入場の可否を判定する入場可否判定部とを有する情報処理装置とを備える情報処理システムである。【００１０】
本技術においては、電子チケットでの入場の可否の判定に用いられるID情報を所定の画像に重畳した重畳画像を撮影した撮影画像から、前記ID情報が抽出され、記憶部に記憶された前記電子チケットと、前記ID情報とを用いて、前記電子チケットでの入場の可否が判定される。【００１１】
なお、情報処理装置は、独立した装置であっても良いし、１つの装置を構成している内部ブロックであっても良い。【００１２】
また、プログラムは、伝送媒体を介して伝送することにより、又は、記録媒体に記録して、提供することができる。
【発明の効果】
【００１３】
本技術によれば、電子チケットでの入場をスムースに行うことができる。【００１４】
なお、ここに記載された効果は必ずしも限定されるものではなく、本開示中に記載されたいずれかの効果であってもよい。
【図面の簡単な説明】
【００１５】
【図１】イベント等の入場ゲートの例を示す図である。
【図２】チケットのチェックの方法の例を示す図である。
【図３】tixeeと呼ばれる電子チケットのチェックの方法を説明する図である。
【図４】ColorSyncと呼ばれる電子チケットのチェックの方法を説明する図である。
【図５】顔認証と組み合わせたチケットのチェックの方法を説明する図である。
【図６】本技術を適用した入場ゲートシステムの第１実施の形態の構成例を示す図である。
【図７】ユーザが所持する携帯端末３０の構成例を示す平面図である。
【図８】入場ゲートシステムでのチケット認証の手順の例を説明する図である。
【図９】認証待ち画像、及び、結果画像の表示例を示す図である。
【図１０】ゲート表示装置２０のハードウェアの構成例を示すブロック図である。
【図１１】携帯端末３０のハードウェアの構成例を示すブロック図である。
【図１２】ゲート表示装置２０及び携帯端末３０の機能的構成例を示すブロック図である。
【図１３】ゲート表示装置２０及び携帯端末３０の処理の例を説明するフローチャートである。
【図１４】ユーザの行動及び携帯端末３０の処理の例を説明するシーケンス図である。
【図１５】ゲート表示装置２０から携帯端末３０へのID情報の情報伝達の仕組みを説明する図である。
【図１６】抽出部８２で行われる、撮影画像からのID情報（を符号化した符号化情報）の抽出の方法の例を説明する図である。
【図１７】ゲート表示装置２０で表示される重畳画像の例を示す図である。
【図１８】抽出部８２の構成例を示すブロック図である。
【図１９】任意の画像を背景画像とする元画像に重畳されたID情報を、撮影画像から抽出する方法を説明する図である。
【図２０】入場ゲートシステムでのチケット認証の手順の他の例を説明する図である。
【図２１】ユーザ認証及びチケット認証を行う場合の、ゲート表示装置２０及び携帯端末３０の機能的構成例を示すブロック図である。
【図２２】ゲート表示装置２０及び携帯端末３０の処理の例を説明するフローチャートである。
【図２３】ユーザ認証とチケット認証の両方を行う場合の、ユーザの行動及び携帯端末３０の処理の例を説明するシーケンス図である。
【図２４】本技術を適用した入場ゲートシステムの第２実施の形態の構成例を示す図である。
【図２５】本技術を適用した入場ゲートシステムの第３実施の形態の構成例を示す図である。
【図２６】ゲート表示装置２１０及び携帯端末３０の機能的構成例を示すブロック図である。
【図２７】本技術を適用した入場ゲートシステムの第４実施の形態の構成例を示す図である。
【図２８】ゲート表示装置３００及び携帯端末３０の機能的構成例を示すブロック図である。
【発明を実施するための形態】
【００１６】
＜イベント等の入場のチェックの例＞
【００１７】
図１は、イベント等の入場ゲートの例を示す図である。
【００１８】
スタジアムやホールを使い、大勢の人を集めて行われるイベントでは、一般に、ユーザは、有料の（入場）チケットを購入し、そのチケットを提示して、イベントを行うイベント会場に入場する。
【００１９】
図１は、紙のチケットで、入場のチェック（確認）が行われる入場ゲートの例を示している。
【００２０】
イベント会場の入り口には、入場ゲートが設置され、入場者としてのユーザの流れを制限しつつ、ユーザが持参する紙のチケットを１つずつ確認して、チケットの一部を切り取る作業（いわゆる「もぎり」）が行われる。
【００２１】
イベントを運営する団体が決まっている常設のテーマパークや、遊園地等では、入場ゲートを構成するゲート構造物が常設される。これに対して、多目的のホール等を用いるイベントでは、イベントの規模や、種類、主催団体の規模等に応じた規模の入場ゲートが、イベントごとに仮設される。例えば、図１に示すように、柵や、ロープの類いで、入場ゲートに向かう通路（レーン）が作成され、入場ゲートには、チケットの確認やパンフレットの配布に使う机が設置されるとともに、ゲート係員が配置される、そして、ゲート係員が、入場者の誘導、及び、チケットの確認を行う。
【００２２】
図２は、チケットのチェックの方法の例を示す図である。
【００２３】
図２のＡは、紙のチケットのチェックの例を示している。
【００２４】
紙のチケットについては、ユーザが、紙のチケットを持参し、入場ゲートのゲート係員に提示する。ゲート係員は、ユーザが持参した紙のチケットを１つずつ目視で確認し、入場の証しとして半券を切り取るもぎり作業を行う。
【００２５】
図２のＢ及びＣは、電子チケットのチェックの例を示している。
【００２６】
近年、チケットの電子化が進行し、イベントのチケットは、電子的なチケット（電子チケット）として、インターネットで購入することができる。ユーザは、イベント主催者やチケット販売代理店等のサイトで購入した電子チケット（データ化されたチケット）を、スマートフォンその他の携帯端末等に保存し、入場ゲートで、電子チケットを、ゲート係員に提示するか、又は、リーダに読み込ませるかして認証してもらう。
【００２７】
図２のＢは、QRコード（登録商標）を利用した電子チケットの読み取りの例を示している。
【００２８】
QRコードを利用した電子チケットの読み取りを行う場合には、電子チケットにQRコードが付加されており、入場ゲートにおいて、携帯端末に記憶（保存）された電子チケットに付加されたQRコードが、QRコードのリーダによって読み取られる。そして、QRコードのリーダによってQRコードが読み取られた電子チケットのチェックとしての認証が行われる。
【００２９】
図２のＣは、NFC(Near Field Communication)を利用した電子チケットの読み取りの例を示している。
【００３０】
NFCを利用した電子チケットの読み取りを行う場合には、携帯端末のNFCカード機能を利用して、携帯端末に記憶された電子チケットが、NFCのリーダによって読み取られる。そして、NFCのリーダによって読み取られた電子チケットのチェックとしての認証が行われる。
【００３１】
図３は、tixeeと呼ばれる電子チケットのチェックの方法を説明する図である。
【００３２】
ユーザは、オンラインで電子チケットの購入が可能な携帯端末用のアプリケーションを用いて、電子チケットを購入して保存する。
【００３３】
電子チケットのチェックは、図２で説明したように、QRコードのリーダやNFCのリーダを用いて行うことができるが、tixeeでは、ユーザは、所定のアプリケーションを用いて、携帯端末のディスプレイに、電子チケットを表示させ、携帯端末を、入場ゲートのゲート係員に渡す。ゲート係員は、携帯端末に表示された電子チケットを確認し、その電子チケットの半券を仮想的に切り取るもぎり作業を行う。
【００３４】
図３のＡは、携帯端末での、電子チケットの表示例を示しており、図３のＢは、ユーザが、電子チケットが表された携帯端末を、ゲート係員に渡す様子を示している。図３のＣは、ゲート係員が、ユーザの携帯端末に表示された電子チケットを、スワイプ操作することで、その電子チケットの半券を仮想的に切り取っている様子を示している。
【００３５】
図４は、ColorSyncと呼ばれる電子チケットのチェックの方法を説明する図である。
【００３６】
ゲート係員が、ゲート係員用の携帯端末で、ColorSyncの受付画面を起動させるとともに、ユーザが、そのユーザの携帯端末で、ColorSyncのチケット画面を起動させると、ColorSync（の処理）がスタートする。
【００３７】
ColorSyncでは、ゲート係員の受付画面と、ユーザのチケット画面とに、色が表示される。受付画面及びチケット画面に表示される色は、１秒単位で同期しながら変化する。色の変化が一致していれば、ユーザの電子チケットは有効であり、ユーザは自動でチェックイン（受付）される。ゲート係員は、チケット画面を目視することで、電子チケットの（有効性の）確認を行うことができる。
【００３８】
図４のＡは、受付画面及びチケット画面の色の変化が一致している様子を示しており、図４のＢは、受付画面及びチケット画面の色の変化が一致していない様子を示している。図４のＣは、ゲート係員が、ユーザの携帯端末に表示されたチケット画面を確認している様子、すなわち、受付画面及びチケット画面の色の変化が一致しているかどうかを確認している様子を示している。
【００３９】
なお、ColorSyncにおいて、ユーザのチケット画面の色が変化するには、ユーザがイベント会場でチケット画面を起動していること、及び、ゲート係員が受付画面を起動していることが必要である。また、携帯端末に、イベント会場の住所が正しく設定されていない場合や、受付画面が起動されていない場合等には、チケット画面の色は変化しない。
【００４０】
図５は、顔認証と組み合わせたチケットのチェックの方法を説明する図である。
【００４１】
例えば、テーマパークにおいて、チケットとしての年間パスを購入したユーザの初回の入場時に、そのユーザの顔画像が、認証システムに登録される。そして、２回目以降の入場時には、初回の入場時に登録された顔画像を用いた顔認証による本人確認が行われる。
【００４２】
図５のＡは、テーマパークの入場ゲートの様子を示している。入場ゲートには、顔認証用の撮影機能付きのモニタが設置されている。
【００４３】
年間パスには、例えば、QRコードが付加されており、年間パスを購入したユーザは、初回の入場時に、QRコードのリーダに、年間パスのQRコードを読み取らせる。さらに、ユーザは、顔認証用の撮影機能付きのモニタに、顔を向けて、顔画像を撮影させる。
【００４４】
リーダで読み取られたQRコードの情報と、モニタで撮影されたユーザの顔画像とは、対応付けて、テーマパークの認証システムに登録される。
【００４５】
２回目以上の入場時には、初回の入場時と同様にして、モニタでユーザの顔画像が撮影される。そして、モニタで撮影された顔画像と、テーマパークの認証システムに登録された顔画像とを用いた顔認証による本人確認が行われる。
【００４６】
図５のＢは、モニタに、顔を向けて、顔画像を撮影している様子を示しており、図５のＣは、顔認証が行われているときのモニタの表示画面を示している。
【００４７】
ここで、イベント等の入場については、様々な要請がある。
【００４８】
すなわち、イベント等の入場については、第１の要請として、多人数を同時に入場させる（入場ゲートを通過させる）ことができることが要請されている。
【００４９】
イベントの規模はさまざまであるが、大規模なものでは、1日あたりの入場者数が数万になる大規模なイベントがある。そのような大規模なイベントでは、大勢の人が入場ゲートに殺到して大渋滞となることが多く、入場者の誘導作業は、イベント運営側の負担になっている。かかる負担を軽減するために、ボトルネックとなる入場ゲートの流量を大きくすることが要請されている。
【００５０】
図２、図３、及び、図５で説明したチケットのチェックの方法では、一人ずつのユーザについて、チケットの読み取りや確認の作業が必要であり、その作業を迅速に行ったとしても、一人あたりに数秒以上を要する。
【００５１】
図４のColorSyncでは、ゲート係員が、複数のユーザについて、チケットの確認を行うことができるので、図２、図３、及び、図５で説明したチケットのチェックの方法に比較して、チケットの確認の作業の時間を短縮することができる。しかしながら、ColorSyncでは、ゲート係員が、チケット画面の1秒ごとの色の変化を、目視で確認する必要がある。そのため、ユーザには、ある程度の時間、入場ゲートで立ち止まってもらう必要があり、図２、図３、及び、図５の場合ほどではないが、それでも、チケットの確認に、時間を要する。
【００５２】
また、イベント等の入場については、第２の要請として、クラスの異なるレーンが隣接している場合に混乱がないことが要請されている。
【００５３】
例えば、イベントによっては、例えば、一般席や特別席等の座席のクラスの違いで、チケットの価格が異なることがあり、その場合、クラスごとに入場ゲートを設置したいことがある。そして、クラスごとに入場ゲートを設置する場合には、会場の構造の都合で、異なるクラスの入場ゲートのレーンが隣接することがある。
【００５４】
異なるクラスの入場ゲートのレーンが隣接する場合、隣接するレーンの相互でクラスを誤ることなく、チケットのチェックを行うことが要請される。
【００５５】
紙のチケットを用いる場合や、レーンごとに、電子チケットのリーダを設ける場合には、ゲート係員のミスがない限り、隣接レーンの相互でクラスを誤ることはない。
【００５６】
しかしながら、ユーザの位置を特定し、そのユーザの位置に基づいて、ユーザが、適切なレーンに並んでいるかどうかをチェックする方法を採用する場合において、ユーザの位置の特定に、無線や、GPS(Global Positioning System)、インターネット通信等を利用するときには、ユーザが位置するレーンを識別する精度を期待することは困難である。
【００５７】
また、イベント等の入場については、第３の要請として、再入場の禁止や制限に対応することが要請されている。
【００５８】
イベントによっては、一度使われたチケットでの再入場が禁止されることがあり、チケットでの再入場を禁止することへの対応が要請されている。
【００５９】
電子チケットでの再入場を禁止するためには、電子チケットが、（一度）使われたチケットであるのかどうかを識別することができる認証技術が必要である。
【００６０】
また、チケットでの（再）入場を、複数回数であるN回までに制限することへの対応が要請されている。
【００６１】
例えば、紙のチケットによれば、ゲート係員が、チケットからちぎった半券を、ユーザに渡し、ユーザが、半券を、ゲート係員に返却したときに再入場を許可することで、再入場に対応することができる。但し、半券の返却によって、再入場を許可するのでは、再入場の回数を制限することは困難である。
【００６２】
また、電子チケットを、リーダで読み込んで、電子チケットのチェックを行う方法では、ユーザが、入場ゲートを通過したことを、電子チケットの読み込み時に、管理サーバに蓄積しておくことで、電子チケットを、再度、リーダで読み込んだときに、再入場であるかどうかを判定することができる。
【００６３】
図４のColorSyncにおいて、例えば、ゲート係員の受付画面と、ユーザのチケット画面との色の変化が一致しているかどうかの電子チケットの認証の結果を、管理サーバに蓄積する場合には、その管理サーバに蓄積した認証の結果を用いて、再入場であるかどうかを判定することができる。
【００６４】
但し、この場合、イベント会場において、ゲート係員の受付画面と、ユーザのチケット画面とが起動されていれば、電子チケットの認証が行われ、ユーザが、実際に入場ゲートを通過したかどうかに関わらず、認証の結果が、管理サーバに蓄積される。したがって、認証が行われたことと、電子チケットの認証が行われたこととは、厳密には関連しない。
【００６５】
イベント等の入場については、第４の要請として、チケットの使い回しの禁止に対応することが要請されている。
【００６６】
イベントによっては、再入場は許可するが、チケットの使い回しは禁止したいことがある。チケットの使い回しを禁止するには、チケットを使用するユーザが同一人物であるかどうかを識別する必要がある。
【００６７】
紙のチケットや、単にQRコードで電子チケットの正当性をチェックする方法では、チケットを使用するユーザが同一人物であるかどうかを識別することが困難である。
【００６８】
図５で説明した、顔認証と組み合わせたチケットのチェックの方法は、チケットの使い回しを禁止することができ、テーマパークの年間パスに実用されている。
【００６９】
イベント等の入場については、第５の要請として、入場ゲートの設置コストか安価で、仮設が可能であることが要請される。
【００７０】
イベントは、汎用のホールやスタジアムのような施設で開催されることがある。かかる施設には、テーマパークや遊園地等のような入場ゲートは常設されていないため、イベントごとに、そのイベント限りの仮設の入場ゲートを設置する必要がある。
【００７１】
そのため、入場ゲートは、できるだけ高額でない汎用の機材を用いて簡易に組み立てと撤去とが可能であることが望まれる。
【００７２】
例えば、図５で説明した、顔認証と組み合わせたチケットのチェックの方法には、入場ゲートごとに、顔認証用の専用のモニタが必要であるとともに、そのモニタを管理するサーバ等が必要であり、入場ゲートが常設のテーマパークでは適用可能であるが、仮設の入場ゲートへの適用は困難である。
【００７３】
以下、第１ないし第５の要請のうちの１以上の要請に応える入場ゲートシステムについて説明する。
【００７４】
＜本技術を適用した入場ゲートシステムの第１実施の形態＞
【００７５】
図６は、本技術を適用した入場ゲートシステムの第１実施の形態の構成例を示す図である。
【００７６】
図６の入場ゲートシステムでは、同一構成の3個の入場ゲート１１が並列に設置され、さらに、柵が設置されることにより、第１レーン、第２レーン、及び、第３レーンの３レーンが構成されている。レーンは、電子チケットのクラス（特別席や一般席等）で分けることもできるし、すべて同一クラスのレーンとすることもできる。
【００７７】
入場ゲート１１は、２本の支柱１１Ａと、その２本の支柱１１Ａの上端部分に取り付けられた梁１１Ｂとで構成され、門の構造になっている。また、入場ゲート１１の幅は、複数のユーザが、同時に、入場ゲート１１を通過することができる幅になっている。
【００７８】
図６では、入場ゲート１１に向かって、入場者としてのユーザが、レーンごとに列をなしている。
【００７９】
入場ゲート１１の梁１１Ｂには、ゲート表示装置２０が設置されている。ゲート表示装置２０は、種々の画像を表示する表示部２１を有し、その表示部２１が、入場ゲート１１に並ぶユーザからよく見えるように、入場ゲート１１に設置されている。表示部２１は、例えば、液晶ディスプレイ等で構成される。
【００８０】
ここで、図６では、上述のように、入場ゲート１１は、門の構造になっているが、入場ゲート１１の構造は、ゲート表示装置２０の表示部２１を、ユーザからよく見えるように、ゲート表示装置２０を設置することができる構造であれば、門の構造である必要はない。
【００８１】
入場ゲート１１には、1個の入場ゲート１１ごとに、1人のゲート係員が配置されている。後述するように、ユーザは、電子チケットを記憶した携帯端末３０（図７）を所持し、携帯端末３０を掲げるようにして、入場ゲート１１を通過する（入場する）が、ゲート係員は、ユーザが掲げる携帯端末３０がよく見える位置に立っている。
【００８２】
図７は、ユーザが所持する携帯端末３０の構成例を示す平面図である。
【００８３】
携帯端末３０は、例えば、スマートフォンやタブレット等であり、正面の広い範囲に、操作入力と、画像の表示とが可能なタッチパネル３１が設けられている。さらに、携帯端末３０のタッチパネル３１と同一の面には、カメラ３２が設けられている。
【００８４】
＜チケット認証の手順の例＞
【００８５】
図８は、図６の入場ゲートシステムでのチケット認証の手順の例を説明する図である。
【００８６】
ユーザは、電子チケットのチケット認証を行うためのチケットアプリケーションをダウンロードし、携帯端末３０にインストールしておく。また、ユーザは、電子チケットを、インターネット等のサイトから購入し、携帯端末３０に保存しておく（記憶させておく）。
【００８７】
そして、ユーザは、電子チケットを保存した携帯端末３０を携行して、電子チケットのクラスに対するレーン等の適切なレーンに並び、入場ゲート１１に近づいたら、携帯端末３０のチケットアプリケーションを起動する。
【００８８】
チケットアプリケーションでは、携帯端末３０に保存されている電子チケットの一覧が、携帯端末３０のタッチパネル３１に表示される。ユーザは、タッチパネル３１に表示されたチケットの一覧から、適切な電子チケット、すなわち、入場ゲート１１に並んでいるイベントのチケットを、タッチパネル３１を操作することにより選択する。
【００８９】
ユーザが電子チケットを選択すると、タッチパネル３１には、認証待ちの画像（認証待ち画像）が表示される。ここで、以下、ユーザが選択した電子チケットを、注目チケットともいう。
【００９０】
タッチパネル３１に認証待ち画像が表示されると、チケットアプリケーションは、カメラ３２を起動する。
【００９１】
カメラ３２が起動された後、ステップＳ１として、ユーザは、カメラ３２を、ユーザが並んでいるレーンの入場ゲート１１に設置されたゲート表示装置２０（の表示部２１）に向けて、入場ゲート１１に向かって歩いて行く。
【００９２】
このとき、ステップＳ２として、携帯端末３０のカメラ３２では、ゲート表示装置２０の表示部２１に表示された画像が撮影される。
【００９３】
ゲート表示装置２０では、電子チケットでの入場の可否の判定に用いられるID(Identification)情報を所定の画像に重畳した重畳画像が、表示部２１に表示されている。
【００９４】
ここで、ID情報は、所定の画像に、人の視覚では知覚できない時間的輝度変化として重畳されている。
【００９５】
また、図８では、入場ゲート１１の情報をユーザに分かりやすく伝えるための所定のテキストとしての、入場ゲート１１を識別する文字列「入場ゲート  Ｓ−５」、及び、携帯端末３０のカメラ３２を、ゲート表示装置２０に向けるように促すメッセージ「チケットを向けてください」が、無模様一色の背景画像に表示された画像が、ID情報を重畳する所定の画像として採用されている。
【００９６】
ゲート表示装置２０は、以上のように、重畳画像を、表示部２１に表示して、ユーザに提供するので、重畳画像を提供する提供装置として機能する。
【００９７】
携帯端末３０のチケットアプリケーションは、カメラ３２で、ゲート表示装置２０の表示部２１に表示された重畳画像を撮影した撮影画像から、ID情報を抽出する。
【００９８】
さらに、チケットアプリケーションは、注目チケットと、ID情報とを用いて、注目チケットの認証を行うことにより、その注目チケットでの入場の可否を判定する入場可否判定を行う。
【００９９】
そして、チケットアプリケーションは、入場可否判定の判定結果を表す結果画像を、携帯端末３０のタッチパネル３１に表示する。
【０１００】
結果画像としては、入場を許可することを表すOK画像と、入場を許可しないことを表すNG画像とがある。
【０１０１】
ID情報と注目チケットとが合致する場合、入場可否判定において、入場を許可する旨の判定が行われ、タッチパネル３１に、OK画像が表示される。
【０１０２】
一方、ID情報と注目チケットとが合致しない場合、入場可否判定において、入場を許可しない旨の判定が行われ、タッチパネル３１に、NG画像が表示される。
【０１０３】
ステップＳ３として、ユーザは、結果画像としてのOK画像又はNG画像がタッチパネル３１に表示された携帯端末３０を掲げたまま、入場ゲート１１に向かって歩き、その結果画像を、ゲート係員に提示する。
【０１０４】
図７に示したように、携帯端末３０において、結果画像が表示されるタッチパネル３１と、ゲート表示装置２０の表示部２１に表示された重畳画像を撮影するカメラ３２とは、同一の面に設けられている。したがって、ユーザは、重畳画像を撮影した携帯端末３０を持ち替えることなく、タッチパネル３１に表示された結果画像を、入場ゲート１１に配置されたゲート係員に提示することができる。
【０１０５】
以上のように、ユーザは、結果画像を、ゲート係員に提示することで、注目チケットの認証の結果、ひいては、入場の可否を、ゲート係員に確認してもらう。
【０１０６】
ゲート係員は、結果画像を確認し、結果画像がOK画像である場合、入場ゲート１１を通過しようとして歩いてくるユーザを、そのまま通過させる。
【０１０７】
また、結果画像が、OK画像以外のNG画像等である場合、ゲート係員は、ユーザを、一旦引き留めて、適切な誘導を行う。
【０１０８】
入場ゲート１１を通過したユーザについては、携帯端末３０において、重畳画像の撮影、ひいては、その重畳画像に重畳されているID情報の抽出を行うことができなくなる。
【０１０９】
チケットアプリケーションは、結果画像を表示した後、ID情報を抽出することができなくなった場合、ID情報を抽出することができなくなってから、所定の時間が経過した後に、タッチパネル３１に表示された結果画像を消去する。
【０１１０】
ユーザは、ステップＳ４として、入場ゲート１１を通過した後に、チケットアプリケーションを終了させる。
【０１１１】
図９は、認証待ち画像、及び、結果画像の表示例を示す図である。
【０１１２】
図９のＡは、認証待ち画像の例を示す図である。
【０１１３】
認証待ち画像は、例えば、上述したように、ユーザが注目チケットとしての電子チケットを選択すると、タッチパネル３１に表示される。
【０１１４】
図９のＢは、OK画像の例を示す図であり、図９のＣは、NG画像の例を示す図である。
【０１１５】
上述したように、OK画像は、撮影画像から抽出されたID情報と注目チケットとが合致する場合（認証が成功した場合）に表示され、NG画像は、ID情報と注目チケットとが合致しない場合（認証に失敗した場合）に表示される。
【０１１６】
なお、認証待ち画像や結果画像としては、静止画や動画（アニメーション）、テキスト等の任意の画像を採用することができる。
【０１１７】
＜ゲート表示装置２０のハードウェアの構成例＞
【０１１８】
図１０は、ゲート表示装置２０のハードウェアの構成例を示すブロック図である。
【０１１９】
ゲート表示装置２０は、例えば、コンピュータと同様に構成される。
【０１２０】
すなわち、ゲート表示装置２０は、例えば、表示部２１、CPU(Central Processing Unit)４１、メモリ４２、ハードディスク４３、通信部４４、外部I/F(Interface)４５、操作部４６、及び、スピーカ４７が、バスを介して相互に接続されて構成される。
【０１２１】
CPU４１は、ハードディスク４３にインストールされたプログラムを実行することにより、ゲート表示装置２０を構成する各ブロックの制御、その他各種の処理を行う。
【０１２２】
メモリ４２は、例えば、RAM(Random Access Memory)であり、CPU４１の動作上必要なデータ（プログラムを含む）を一時記憶する。
【０１２３】
ハードディスク４３は、CPU４１が実行するプログラムや、必要なデータを記憶する。
【０１２４】
なお、ハードディスク４３には、少なくとも、ゲートアプリケーション（プログラム）がインストールされている。CPU４１が、ハードディスク４３にインストールされたゲートアプリケーションを実行することで、ゲート表示装置２０としてのコンピュータは、ゲート表示装置２０として機能する。
【０１２５】
通信部４４は、インターネット等のネットワークとの間の無線又は有線による通信を制御する。
【０１２６】
外部I/F４５は、図示せぬ外部機器や、メモリカード等のリムーバブルメディア４５Ａとの間のインターフェースとして機能する。
【０１２７】
操作部４６は、ゲート表示装置２０を管理するオペレータ等によって操作され、その操作に対応する操作信号を、バス上に出力する。
【０１２８】
スピーカ４７は、バスから供給される音響データに対応する音響を出力する。
【０１２９】
以上のように構成されるゲート表示装置２０は、CPU４１が、ハードディスク４３にインストールされたゲートアプリケーションを実行することで、ゲート表示装置２０として機能する。
【０１３０】
ゲートアプリケーションは、ハードディスク４３にあらかじめインストールしておく他、リムーバブルメディア４５Ａに格納（記録）し、そのリムーバブルメディア４５Ａから、外部I/F４５を介して、ゲート表示装置２０にインストールすることができる。
【０１３１】
また、ゲートアプリケーションは、通信網や放送網から、通信部４４を介してダウンロードし、ゲート表示装置２０にインストールすることができる。
【０１３２】
ゲートアプリケーションのアップデートも、ゲートアプリケーションのインストールと同様に行うことができる。
【０１３３】
＜携帯端末３０のハードウェアの構成例＞
【０１３４】
図１１は、携帯端末３０のハードウェアの構成例を示すブロック図である。
【０１３５】
携帯端末３０は、例えば、コンピュータと同様に構成される。
【０１３６】
すなわち、携帯端末３０は、例えば、カメラ３２及び３３、CPU５１、メモリ５２、ストレージ５３、通信部５４、外部I/F５５、マイク５６、スピーカ５７、並びに、タッチパネル３１としての表示部５８及び位置検出機構５９が、バスを介して相互に接続されて構成される。
【０１３７】
カメラ３２及び３３は、画像を撮影し、その撮影によって得られる撮影画像（の画像データ）を、バス上に出力する。
【０１３８】
ここで、カメラ３２は、図７で説明したように、タッチパネル３１と同一の面である、携帯端末３０の正面（表面）に設けられている。カメラ３３は、タッチパネル３１の反対側の面である携帯端末３０の背面（裏面）に設けられている。
【０１３９】
CPU５１は、ストレージ５３にインストールされたプログラムを実行することにより、携帯端末３０を構成する各ブロックの制御、その他各種の処理を行う。
【０１４０】
メモリ４２は、例えば、RAMであり、CPU５１の動作上必要なデータ（プログラムを含む）を一時記憶する。
【０１４１】
ストレージ５３は、例えば、不揮発性のメモリであり、CPU５１が実行するプログラムや、必要なデータを記憶する。
【０１４２】
なお、ストレージ５３には、少なくとも、チケットアプリケーション（プログラム）がインストールされている。CPU５１が、ストレージ５３にインストールされたチケットアプリケーションを実行することで、携帯端末３０としてのコンピュータは、電子チケットに関する各種の処理（電子チケット処理）を行う。
【０１４３】
通信部５４は、インターネット等のネットワークとの間の無線又は有線による通信を制御する。
【０１４４】
外部I/F５５は、図示せぬ外部機器や、メモリカード等のリムーバブルメメディア５５Ａとの間のインターフェースとして機能する。
【０１４５】
マイク５６は、ユーザが発する音声その他の音響を、電気信号である音響データに変換し、バス上に出力する。
【０１４６】
スピーカ５７は、バスから供給される音響データに対応する音響を出力する。
【０１４７】
表示部５８は、例えば、液晶ディスプレイ等で構成され、バスから供給される画像データに対応する画像を表示する。
【０１４８】
位置検出機構５９は、表示部５８と一体的に構成され、タッチパネル３１を構成している。位置検出機構５９は、ユーザの指等によるタッチパネル３１上のタッチ位置を検出し、バス上に出力する。
【０１４９】
以上のように構成される携帯端末３０は、CPU５１が、ストレージ５３にインストールされたチケットアプリケーションを実行することで、電子チケット処理を行う。
【０１５０】
チケットアプリケーションは、ストレージ５３にあらかじめインストールしておく他、リムーバブルメメディア５５Ａに格納し、そのリムーバブルメメディア５５Ａから、外部I/F５５を介して、携帯端末３０にインストールすることができる。
【０１５１】
また、チケットアプリケーションは、通信網や放送網から、通信部５４を介してダウンロードし、携帯端末３０にインストールすることができる。
【０１５２】
チケットアプリケーションのアップデートも、チケットアプリケーションのインストールと同様に行うことができる。
【０１５３】
＜ゲート表示装置２０及び携帯端末３０の機能的構成例＞
【０１５４】
図１２は、ゲート表示装置２０及び携帯端末３０の機能的構成例を示すブロック図である。
【０１５５】
図１２のゲート表示装置２０の機能的構成例は、図１０のCPU４１がゲートアプリケーションを実行することにより（仮想的に）実現される。同様に、図１２の携帯端末３０の機能的構成例は、図１１のCPU５１が、チケットアプリケーションを実行することにより実現される。
【０１５６】
図１２において、ゲート表示装置２０は、表示部２１、ID記憶部７１、符号化部７２、及び、制御部７３を有する。
【０１５７】
表示部２１は、例えば、上述したように、液晶ディスプレイで構成され、液晶パネル２１Ａとバックライト２１Ｂとを有する。
【０１５８】
液晶パネル２１Ａには、例えば、図８で説明した、所定のテキストが無模様一色の背景画像に表示された所定の画像としての元画像が供給され、液晶パネル２１Ａは、その画像に従って駆動される。
【０１５９】
バックライト２１Ｂは、光を発光し、その光を、液晶パネル２１Ａに照射する。これにより、液晶パネル２１Ａとバックライト２１Ｂとで構成される表示部２１では、元画像が表示される。
【０１６０】
ID情報記憶部７１、符号化部７２、及び、制御部７３は、ゲートアプリケーションを構成する（ゲートアプリケーションによって（仮想的に）実現される）。
【０１６１】
ID情報記憶部７１は、入場ゲート１１に固有に割り当てられたID情報を記憶している。
【０１６２】
符号化部７２は、ID情報記憶部７１に記憶されたID情報を変調することにより符号化する。
【０１６３】
すなわち、符号化部７２は、例えば、正弦波を、ID情報に従って位相変調することにより、ID情報を符号化する。
【０１６４】
符号化部７２は、符号化により得られる符号化情報を、制御部７３に供給する。
【０１６５】
制御部７３は、バックライト２１Ｂに制御信号を供給することにより、符号化部７２からの符号化情報に従って、バックライト２１Ｂが発光する光の輝度を制御することで、ID情報（符号化されたID情報である符号化情報）を、時間的輝度変化として、元画像に重畳する。
【０１６６】
すなわち、制御部７３は、符号化情報に従って、バックライト２１Ｂの輝度を、人の視覚で知覚することができない速さで変化させる（変調する）ことで、ID情報を、時間的輝度変化として、元画像に重畳する。これにより、表示部２１には、ID情報が時間的輝度変化として重畳された重畳画像が表示される。
【０１６７】
表示部２１に表示される重畳画像は、可視光であり、したがって、重畳画像に重畳されたID情報（を符号化した符号化情報）は、いわば、可視光通信により情報伝達される。
【０１６８】
図１２において、携帯端末３０は、タッチパネル３１（の表示部５８）、カメラ３２、カメラドライバ８１、抽出部８２、復号部８３、入場可否判定部８４、電子チケット記憶部８５、ディスプレイドライバ８６、及び、コントローラ８７を有する。
【０１６９】
カメラドライバ８１ないしコントローラ８７は、チケットアプリケーションを構成する（チケットアプリケーションによって（仮想的に）実現される）。
【０１７０】
カメラドライバ８１は、カメラ３２による撮影を制御する撮影制御部であり、カメラ３２が表示部２１に表示された重畳画像を撮影した撮影画像を、抽出部８２に供給する。
【０１７１】
抽出部８２は、カメラドライバ８１からの撮影画像から、その撮影画像に重畳された符号化情報（ID情報）を抽出し、復号部８３に供給する。
【０１７２】
また、抽出部８２は、撮影画像からの符号化情報の抽出の成否を、コントローラ８７に供給する。
【０１７３】
復号部８３は、抽出部８２からの符号化情報をID情報に復号（復調）し、入場可否判定部８４に供給する。
【０１７４】
入場可否判定部８４は、復号部８３から供給されるID情報と、電子チケット記憶部８５に記憶された電子チケットのうちの、ユーザによって選択された注目チケットとを用いて、注目チケットの認証を行うことにより、注目チケットでの入場の可否を判定する入場可否判定を行う。
【０１７５】
入場可否判定部８４は、入場可否判定の判定結果を、コントローラ８７に供給する。
【０１７６】
なお、入場可否判定部８４は、入場可否判定の判定結果が、入場を許可する旨を表す場合、電子チケット記憶部８５に記憶された注目チケットに対応付けられている使用回数を１だけインクリメントする。
【０１７７】
電子チケット記憶部８５は、ユーザがサイト等からオンライン等で購入した電子チケットを記憶する。
【０１７８】
ここで、電子チケット記憶部８５において、電子チケットは、その電子チケットの使用回数と対応付けて記憶することができる。さらに、電子チケットは、例えば、後述するように、ユーザの生体情報、その他の必要な情報と対応付けて記憶することができる。
【０１７９】
また、電子チケットは、属性情報とチケット画像とを含む。
【０１８０】
属性情報は、ID情報に対応する対応情報を含み、電子チケットの認証では、対応情報と、撮影画像から抽出されたID情報とが合致するかどうかが判定される。対応情報としては、例えば、単純には、ID情報と同一の情報を採用することができ、この場合、電子チケットの認証では、対応情報とID情報とが一致するかどうかが判定される。
【０１８１】
チケット画像は、図８及び図９で説明した認証待ち画像、並びに、結果画像としてのOK画像及びNG画像を含む。
【０１８２】
チケット画像、特に、結果画像については、ゲート係員が入場の可否を判断しやすい画像を、イベントの主催者が指定することができる。
【０１８３】
結果画像、特に、OK画像については、その場で簡単に複製することができないパターンを含む画像を採用することにより、OK画像が不正に複製され、不正な入場が行われることを防止することができる。
【０１８４】
ディスプレイドライバ８６は、タッチパネル３１を構成する表示部５８の表示を制御する表示制御部であり、電子チケット記憶部８５に記憶されたチケット画像、すなわち、認証待ち画像や、結果画像としてのOK画像又はNG画像を、タッチパネル３１（表示部５８）に表示させる。
【０１８５】
コントローラ８７は、タッチパネル３１に対するユーザの操作や、抽出部８２から供給される、ID情報（の符号化情報）の抽出の成否、入場可否判定部８４から供給される、入場可否判定の判定結果等に応じて、チケットアプリケーションを構成する各ブロックを制御する。
【０１８６】
なお、コントローラ８７が、チケットアプリケーションを構成する各ブロックを制御するための制御線の図示は、図が煩雑になるのを避けるため、省略してある。
【０１８７】
＜ゲート表示装置２０及び携帯端末３０の処理＞
【０１８８】
図１３は、図１２のゲート表示装置２０及び携帯端末３０の処理の例を説明するフローチャートである。
【０１８９】
ゲート表示装置２０では、ステップＳ２１において、符号化部７２は、ID情報記憶部７１に記憶されたID情報を変調することにより符号化し、その結果得られる符号化情報を、制御部７３に供給して、処理は、ステップＳ２２に進む。
【０１９０】
ステップＳ２２では、制御部７３は、符号化部７２からの符号化情報に従って、バックライト２１Ｂが発光する光の輝度を制御することで、ID情報（符号化情報）を、液晶パネル２１Ａに表示させる元画像に重畳する。
【０１９１】
これにより、ゲート表示装置２０では、ID情報が時間的輝度変化として重畳された重畳画像が、表示部２１に表示され、入場ゲート１１に並ぶ（多数の）ユーザに提供される。
【０１９２】
一方、ユーザは、サイト等から購入した電子チケットが電子チケット記憶部８５に記憶された携帯端末３０を携行する。そして、ゲート表示装置２０（の表示部２１）に表示された重畳画像を見て、適切な入場ゲート１１（購入した電子チケットのクラスに対する入場ゲート１１）のレーンに並び、入場ゲート１１に向かって歩いて行く。
【０１９３】
ユーザは、入場ゲート１１に近づいたら、携帯端末３０のタッチパネル３１を操作して、チケットアプリケーションを起動する。
【０１９４】
チケットアプリケーションが起動すると、コントローラ８７は、ディスプレイドライバ８６を制御することにより、電子チケット記憶部８５に記憶された電子チケットの一覧を、タッチパネル３１に表示させる。
【０１９５】
その後、ユーザが、タッチパネル３１を操作して、タッチパネル３１に表示された電子チケットの一覧の中から、入場ゲート１１からの入場に必要な電子チケットを選択すると、ステップＳ３１において、コントローラ８７は、ユーザが選択した電子チケットを、注目チケットとして選択する。
【０１９６】
そして、処理は、ステップＳ３１からステップＳ３２に進み、以下、注目チケットの認証を行うチケット認証処理（ステップＳ３２ないしＳ４１）が行われる。
【０１９７】
すなわち、チケット認証処理では、ステップＳ３２において、コントローラ８７は、ディスプレイドライバ８６を制御することにより、認証待ち画像を、タッチパネル３１に表示させ、処理は、ステップＳ３３に進む。
【０１９８】
ステップＳ３３では、コントローラ８７は、カメラドライバ８１を制御することにより、タッチパネル３１と同一の正面に設けられたカメラ３２による画像の撮影を開始させる。
【０１９９】
以上のように、カメラ３２による画像の撮影が開始され、ユーザが、ゲート表示装置２０に表示された重畳画像におけるテキストを見て、カメラ３２を、ゲート表示装置２０に向けると、カメラ３２では、ゲート表示装置２０に表示された重畳画像が撮影される。カメラ３２での撮影の結果得られる撮影画像は、カメラドライバ８１を介して、抽出部８２に供給される。
【０２００】
以上により、携帯端末３０において、ID情報が、撮影画像として（撮影画像に重畳された形で）取得される。
【０２０１】
その後、ステップＳ３４において、抽出部８２は、カメラドライバ８１を介して供給される撮影画像から符号化情報（符号化されたID情報）を抽出し、その抽出の成否を表す成否情報を、コントローラ８７に供給して、処理は、ステップＳ３５に進む。
【０２０２】
ステップＳ３５では、コントローラ８７は、抽出部８２からの成否情報に基づいて、符号化情報（ID情報）の抽出の成否を判定する。
【０２０３】
ステップＳ３５において、符号化情報の抽出に成功していないと判定された場合、処理は、ステップＳ３３に戻り、以下、同様の処理が繰り返される。
【０２０４】
また、ステップＳ３５において、符号化情報の抽出に成功したと判定された場合、コントローラ８７は、抽出部８２から復号部８３に、符号化情報を供給させる。
【０２０５】
復号部８３は、抽出部８２からの符号化情報を、ID情報に復号し、入場可否判定部８４に供給して、処理は、ステップＳ３５からステップＳ３６に進む。
【０２０６】
ステップＳ３６では、入場可否判定部８４は、復号部８３から供給されるID情報と、電子チケット記憶部８５に記憶された電子チケットのうちの注目チケットとを用いて、注目チケットの認証、すなわち、注目チケットが、復号部８３からのID情報に対して正当であるかどうかを判定する。
【０２０７】
ステップＳ３６において、注目チケットがID情報に対して正当であると判定された場合、すなわち、注目チケットの認証に成功した場合、処理は、ステップＳ３７に進む。
【０２０８】
ステップＳ３７では、入場可否判定部８４は、電子チケット記憶部８５に記憶された、注目チケットに対応付けられている使用回数を１だけインクリメントし、処理は、ステップＳ３８に進む。
【０２０９】
ステップＳ３８では、入場可否判定部８４は、電子チケット記憶部８５に記憶された、注目チケットに対応付けられている使用回数が、使用回数の上限値を超えているかどうかを判定する。
【０２１０】
ここで、注目チケットの使用回数の上限値は、例えば、注目チケットの属性情報に含まれている。
【０２１１】
ステップＳ３８において、注目チケットに対応付けられている使用回数が上限値を超えていないと判定された場合、入場可否判定部８４は、入場可否判定として、注目チケットでの入場を許可する旨の判定を行う。そして、入場可否判定部８４は、注目チケットでの入場を許可する旨の判定結果を、コントローラ８７に供給し、処理は、ステップＳ３９に進む。
【０２１２】
ステップＳ３９では、コントローラ８７は、入場可否判定部８４からの注目チケットでの入場を許可する旨の判定結果に応じて、ディスプレイドライバ８６を制御することにより、電子チケット記憶部８５に記憶された注目チケットのチケット画像に含まれるOK画像を、タッチパネル３１に表示させる。
【０２１３】
ユーザは、入場ゲート１１に向かって歩き続け、ゲート係員に、タッチパネル３１に表示されたOK画像を提示して確認してもらう。
【０２１４】
ゲート係員は、入場ゲート１１の近くに位置し、ゲート表示装置２０に表示された重畳画像を撮影するカメラ３２は、ゲート係員に提示するOK画像が表示されたタッチパネル３１と同一の正面に設けられているので、ユーザは、携帯端末３０を持ち替えることなく、タッチパネル３１に表示されたOK画像を、ゲート係員に提示することができる。
【０２１５】
ゲート係員は、ユーザが所持する携帯端末３０（のタッチパネル３１）に表示されたOK画像を確認した場合、入場ゲート１１を通過させる。
【０２１６】
ユーザが入場ゲート１１を通過することにより、携帯端末３０（のカメラ３２）で重畳画像を撮影することができなくなると、抽出部８２は、符号化情報を抽出することができなくなり、符号化情報の抽出に成功しなかった旨の成否情報を、コントローラ８７に供給する。
【０２１７】
コントローラ８７は、タッチパネル３１にOK画像が表示された後、抽出部８２から、符号化情報の抽出に成功しなかった旨の成否情報が供給されると、符号化情報を抽出することができなくなったことを認識（検知）する。そして、コントローラ８７は、符号化情報を抽出することができなくなったことを認識してから、所定の時間が経過すると、ステップＳ４１において、ディスプレイドライバ８６を制御することにより、タッチパネル３１に表示されたOK画像を消去させる。
【０２１８】
一方、ステップＳ３６において、注目チケットがID情報に対して正当でないと判定された場合、すなわち、注目チケットの認証に失敗した場合、入場可否判定部８４は、入場可否判定として、注目チケットでの入場を許可しない旨の判定を行う。そして、入場可否判定部８４は、注目チケットでの入場を許可しない旨の判定結果を、コントローラ８７に供給し、処理は、ステップＳ４０に進む。
【０２１９】
また、ステップＳ３８において、注目チケットに対応付けられている使用回数が上限値を超えていると判定された場合も、入場可否判定部８４は、入場可否判定として、注目チケットでの入場を許可しない旨の判定を行う。そして、入場可否判定部８４は、注目チケットでの入場を許可しない旨の判定結果を、コントローラ８７に供給し、処理は、ステップＳ４０に進む。
【０２２０】
ステップＳ４０では、コントローラ８７は、入場可否判定部８４からの注目チケットでの入場を許可しない旨の判定結果に応じて、ディスプレイドライバ８６を制御することにより、電子チケット記憶部８５に記憶された注目チケットのチケット画像に含まれるNG画像を、タッチパネル３１に表示させる。
【０２２１】
ゲート係員は、ユーザが所持する携帯端末３０（のタッチパネル３１）に表示されたNG画像を確認した場合、ユーザを一旦引き留めて、適切な誘導を行う。
【０２２２】
ユーザは、ゲート係員に引き留められると、カメラ３２を、ゲート表示装置２０に向けることを止める。その結果、抽出部８２は、符号化情報を抽出することができなくなり、符号化情報の抽出に成功しなかった旨の成否情報を、コントローラ８７に供給する。
【０２２３】
コントローラ８７は、タッチパネル３１にNG画像が表示された後、抽出部８２から、符号化情報の抽出に成功しなかった旨の成否情報が供給されると、符号化情報を抽出することができなくなったことを認識する。そして、コントローラ８７は、符号化情報を抽出することができなくなったことを認識してから、所定の時間が経過すると、ステップＳ４１において、ディスプレイドライバ８６を制御することにより、タッチパネル３１に表示されたNG画像を消去させる。
【０２２４】
ステップＳ４１でのOK画像又はNG画像の消去後、ユーザは、チケットアプリケーションを終了させる。
【０２２５】
＜ユーザの行動及び携帯端末３０の処理＞
【０２２６】
図１４は、ユーザの行動及び携帯端末３０の処理の例を説明するシーケンス図である。
【０２２７】
ステップＳ５１において、ユーザは、チケットアプリケーションを起動する。
【０２２８】
チケットアプリケーションは、起動後、ステップＳ６１において、電子チケット記憶部８５に、電子チケットの一覧であるチケットリストを要求して受信する。
【０２２９】
さらに、チケットアプリケーションは、ステップＳ６２において、チケットリストから注目チケットを選択するためのチケットリスト選択画面の表示を、タッチパネル３１の表示部５８（を制御するディスプレイドライバ８６）に要求する。表示部５８は、チケットアプリケーションからの要求に応じて、チケットリスト選択画面を表示する。
【０２３０】
ユーザは、ステップＳ５２において、表示部５８に表示されたチケットリスト選択画面を見て、電子チケットを選択し、チケットアプリケーションは、ユーザが選択した電子チケットを、注目チケットに選択する。
【０２３１】
そして、チケットアプリケーションは、ステップＳ６３において、認証待ち画像の表示を、表示部５８に要求する。表示部５８は、ステップＳ９１において、チケットアプリケーションからの要求に応じて、認証待ち画像を表示する。
【０２３２】
また、チケットアプリケーションは、ステップＳ６４において、カメラ３２を起動させる（カメラ３２の起動を、カメラドライバ８１に要求する）。
【０２３３】
カメラ３２の起動後、表示部５８に表示された認証待ち画像を確認したユーザは、ステップＳ５３において、カメラ３２を、ゲート表示装置２０に向ける。
【０２３４】
ゲート表示装置２０に向けられたカメラ３２は、ゲート表示装置２０に表示された重畳画像の撮影を開始し、ステップＳ８１において、重畳画像の撮影により得られる撮影画像（の画像データ）を、チケットアプリケーションに供給する。
【０２３５】
チケットアプリケーションは、ステップＳ６５において、カメラ３２からの撮影画像から符号化情報（ID情報）を抽出し、その抽出の成否を判定する。
【０２３６】
チケットアプリケーションは、撮影画像からの符号化情報の抽出に成功すると、ステップＳ６６において、その符号化情報をID情報に復号する。
【０２３７】
そして、チケットアプリケーションは、ステップＳ６７において、電子チケット記憶部８５に、注目チケットの属性情報と使用回数とを要求して受信する。
【０２３８】
チケットアプリケーションは、ステップＳ６８において、注目チケットの使用回数をインクリメントし、そのインクリメント後の使用回数、注目チケットの属性情報、及び、撮影画像から抽出されたID情報を用いて、入場可否判定を行う。
【０２３９】
すなわち、チケットアプリケーションは、ID情報と、注目チケットの属性情報とを用いて、注目チケットの認証（チケット認証）を行うとともに、使用回数が、属性情報に含まれる上限値を超えているかどうかを判定する。
【０２４０】
チケット認証に成功し、使用回数が上限値を超えていない場合、入場可否判定として、注目チケットでの入場を許可する旨の判定が行われる。
【０２４１】
一方、チケット認証に失敗するか、又は、使用回数が上限値を超えている場合、入場可否判定として、注目チケットでの入場を許可しない旨の判定が行われる。
【０２４２】
その後、ステップＳ６９において、チケットアプリケーションは、カメラ３２での重畳画像の撮影を終了させる。
【０２４３】
さらに、チケットアプリケーションは、ステップＳ７０において、入場可否判定の判定結果に応じて、OK画像又はNG画像（以下、入場可否画像ともいう）を、電子チケット記憶部８５に要求して取得する。
【０２４４】
そして、チケットアプリケーションは、ステップＳ７１において、入場可否画像の表示を、表示部５８に要求する。表示部５８は、ステップＳ９２において、チケットアプリケーションからの要求に応じて、入場可否画像を表示する。
【０２４５】
ユーザは、ステップＳ５４において、表示部５８に表示された入場可否画像を、ゲート係員に確認してもらう。
【０２４６】
入場可否画像がOK画像である場合、ステップＳ５５において、ユーザは、入場ゲート１１を通過する。
【０２４７】
そして、ステップＳ５６において、ユーザは、入場可否画像の表示を終了するように、タッチパネル３１を操作する。
【０２４８】
チケットアプリケーションは、ステップＳ７２において、ユーザの操作に応じて、表示部５８での入場可否画像の表示を終了させる。
【０２４９】
なお、入場可否画像がNG画像である場合、ユーザは、ゲート係員に引き留められる。
【０２５０】
また、図１４では、ユーザの操作に応じて、入場可否画像の表示を終了させる（入場可否画像を消去する）こととしたが、入場可否画像（OK画像又はNG画像）は、図１３で説明したように、入場可否画像の表示後、符号化情報を抽出することができなくなってから、所定の時間が経過した場合に消去することができる。
【０２５１】
＜ID情報の情報伝達の仕組み＞
【０２５２】
図１５は、ゲート表示装置２０から携帯端末３０へのID情報の情報伝達の仕組みを説明する図である。
【０２５３】
図１２で説明したように、ゲート表示装置２０に表示される重畳画像は、可視光であり、ID情報は、その可視光である重畳画像に重畳された形で、いわば、可視光通信により、携帯端末３０に情報伝達される。
【０２５４】
可視光である重畳画像による情報伝達（の仕組み）は、ディスプレイモデル(Display Model)とカメラモデル(Camera Model)とで説明することができる。
【０２５５】
ディスプレイモデルは、ゲート表示装置２０のように、重畳画像を表示する側のモデルであり、カメラモデルは、携帯端末３０のように、重畳画像を撮影する側のモデルである。
【０２５６】
ディスプレイモデルは、画像を表示するディスプレイ、例えば、液晶ディスプレイを有する。液晶ディスプレイは、画像の空間的なテクスチャ(Spatial Texture)を決める液晶パネルと、画像（全体）の輝度を決めるバックライトとを有する。
【０２５７】
ディスプレイモデルにおいて、ID情報は、正弦波をベースとする符号化情報に符号化される。符号化情報は、例えば、正弦波を、ID情報に従って位相変調した変調信号f(t)である。
【０２５８】
さらに、ディスプレイモデルでは、変調信号である符号化情報f(t)に従って、バックライトの輝度が変調（制御）される。
【０２５９】
また、液晶パネルは、元画像に従って駆動される。
【０２６０】
液晶ディスプレイでは、バックライトが発する光が、液晶パネルを透過することにより画像が表示される。
【０２６１】
上述したように、バックライト（が発する光）の輝度は、符号化情報f(t)に従って変調されるため、液晶ディスプレイに表示される画像は、液晶パネルを駆動する元画像に、バックライトの輝度を変調する符号化情報f(t)（ひいては、ID情報）が時間的輝度変化として重畳された重畳画像になる。
【０２６２】
変調信号f(t)となる正弦波として、輝度の変化が人の視覚で知覚することができない、高い周波数の正弦波を用いることで、ID情報（符号化情報f(f)）は、人の視覚で知覚することができないように、元画像に重畳される。
【０２６３】
カメラモデルは、ディスプレイモデルの液晶ディスプレイに表示される重畳画像が、ピンホールカメラで撮影される様子を表している。
【０２６４】
ピンホールカメラで撮影される画像は、ピンホールを通過する光線が、ピンホールより前に位置する仮想的な撮像面を通過するときの断面として表すことができる。
【０２６５】
撮像面を、ディスプレイモデルの液晶ディスプレイに正対するように配置した場合、撮像面上の画像は、液晶ディスプレイの表示画面上の画像に相似する画像になる。
【０２６６】
ディスプレイモデルにおいて、バックライトは、液晶ディスプレイの表示画面全体の輝度を同時に変化させる。そのため、カメラモデルの撮像面上の画像、すなわち、ピンホールカメラで撮影される撮影画像の輝度は、位置に関係なく同様に時間的に変化する。そして、その撮影画像の輝度変化は、図１５に"Time Variation of Sensor Radiance"として示すように、符号化情報f(t)（ひいては、ID情報）に比例する。
【０２６７】
ここで、図１５において、R(x1,y1,t)は、位置(x1,y1)の輝度の時間(t)変化を表す。同様に、G(x2,y2,t)は、位置(x2,y2)の輝度の時間変化を表し、B(x3,y3,t)は、位置(x3,y3)の輝度の時間変化を表す。以下の図でも、同様である。
【０２６８】
ディスプレイモデルの液晶ディスプレイに表示される重畳画像の輝度は、バックライトの輝度変化に応じて変化するが、その変化の速度を、人の眼の時間応答速度よりも速く設定することで、重畳画像の輝度変化は、人が見たときに積分されて、知覚されない。
【０２６９】
なお、ディスプレイモデルにおいて、ID情報は、輝度変化として元画像に重畳する他、色変化として、元画像に重畳することができる。
【０２７０】
例えば、バックライトとして、RGB等の多色のLED(Light Emitting Diode)が用いられている場合、ID情報（を符号化した符号化情報f(t)）に従って、多色のLEDの強度バランスを変調することにより、ID情報を、色の変化として、元画像に重畳した重畳画像を得ることができる。
【０２７１】
ID情報を、色変化として、元画像に重畳する場合も、輝度変化として、元画像に重畳する場合と同様に、色変化の速度を、人の眼の時間応答速度よりも速く設定することで、重畳画像の色変化は、人が見たときに積分されて、知覚されない。
【０２７２】
図１６は、図１２の抽出部８２で行われる、撮影画像からのID情報（を符号化した符号化情報）の抽出の方法の例を説明する図である。
【０２７３】
いま、携帯端末３０のカメラ３２として、例えば、フォーカルプレーンシャッタ（ローリングシャッタ）方式のイメージセンサを有するカメラが採用されていることとする。
【０２７４】
フォーカルプレーンシャッタ方式のイメージセンサとしては、例えば、CMOS(Complementary Metal Oxide Semiconductor)イメージセンサがある。
【０２７５】
図１６のＡは、フォーカルプレーンシャッタ方式の（イメージセンサを有する）カメラ３２のシャッタタイミングを示している。
【０２７６】
図１６のＡにおいて、横軸は時間を表し、縦軸は画素の垂直方向の位置を表している。
【０２７７】
フォーカルプレーンシャッタ方式のカメラ３２では、ライン（水平ライン）ごとに、少しずつタイミングをずらして、露光、及び、画素値の読み出しが行われる。
【０２７８】
そのため、カメラ３２で撮影される撮影画像のフレームの上部のラインの画素（以下、上部の画素ともいう）px#1の露光期間pd#1、フレームの垂直方向の中央付近のラインの画素（以下、中部の画素ともいう）px#2の露光期間pd#2、及び、フレームの下部のラインの画素（以下、下部の画素ともいう）px#3の露光期間pd#3のタイミングは、互いに異なる。
【０２７９】
フレームの下部のラインの画素ほど、露光期間は、遅い（遅れた）タイミングの期間になる。なお、露光期間pd#1,pd#2,pd#3の長さ（時間）は、同一である。
【０２８０】
図１６のＢは、カメラ３２（が有するイメージセンサ）の上部の画素px#1、中部の画素px#2、及び、下部の画素px#3の画素値の時間変化の例を示している。
【０２８１】
なお、上部の画素px#1は、位置(x1,y1)の画素で、その画素px#1の輝度は、R(x1,y1,t)で表される。中部の画素px#2は、位置(x2,y2)の画素で、その画素px#2の輝度は、G(x2,y2,t)で表される。下部の画素px#3は、位置(x3,y3)の画素で、その画素px#3の輝度は、B(x3,y3,t)で表される。
【０２８２】
カメラ３２で撮影される重畳画像の輝度は、その重畳画像に重畳されたID情報（正確には、ID情報の符号化情報）f(t)に従って、面均一に変化するので、カメラ３２の上部の画素px#1の位置（x1,y1）、中部の画素px#2の位置（x2,y2）、及び、下部の画素px#3の位置（x3,y3）への入射光量は、いわば同期した形で変化する。
【０２８３】
但し、フォーカルプレーンシャッタ方式のカメラ３２では、上部の画素px#1の露光期間pd#1、中部の画素px#2の露光期間pd#2、及び、下部の画素px#3の露光期間pd#3（のタイミング）は、図１６のＢに示すようにずれる。
【０２８４】
そのため、カメラ３２で撮影される重畳画像の輝度は、その重畳画像に重畳されたID情報f(t)に従って、面均一に時間変化するのにもかかわらず、カメラ３２での重畳画像の撮影の結果得られる撮影画像は、垂直方向の位置によって輝度が異なる画像となる。
【０２８５】
図１６のＣは、輝度が、ID情報f(t)に従って面均一に時間変化する重畳画像を、フォーカルプレーンシャッタ方式のカメラ３２で撮影することにより得られる撮影画像v(x,y)の例を示している。
【０２８６】
撮影画像v(x,y)は、上述したように、垂直方向の位置によって輝度が異なる画像となる。すなわち、重畳画像には、ID情報f(t)が時間的輝度変化として重畳されているが、撮影画像v(x,y)には、その時間的輝度変化が、空間的輝度変化である横縞の輝度パターンvg(y)として現れる。
【０２８７】
フォーカルプレーンシャッタ方式のカメラ３２で得られる撮影画像v(x,y)に現れる、上述のような横縞の輝度パターンvg(y)は、フリッカと呼ばれる。
【０２８８】
フリッカは、フォーカルプレーンシャッタ方式に起因して生じるため、重畳画像の時間的輝度変化は、その重畳画像を表示するゲート表示装置２０と、重畳画像を撮影する携帯端末３０との間の相対的位置関係に関係なく、撮影画像v(x,y)に、常に、横縞として現れる。
【０２８９】
すなわち、ID情報f(t)が時間的輝度変化として重畳された重畳画像を、フォーカルプレーンシャッタ方式のカメラ３２で撮影することにより得られる撮影画像v(x,y)は、フリッカのない元画像vtex(x,y)に、ID情報f(t)に対応する空間的輝度変化としての横縞の輝度パターンvg(y)が重畳された画像になる。
【０２９０】
図１６のＤは、図１６のＣの撮影画像v(x,y)を構成する元画像vtex(x,y)の例を示しており、図１６のＥは、図１６のＣの撮影画像v(x,y)を構成する横縞の輝度パターンvg(y)を示している。
【０２９１】
以上のように、重畳画像を、フォーカルプレーンシャッタ方式のカメラ３２で撮影することにより、重畳画像に、時間的輝度変化として重畳されているID情報f(t)は、撮影画像において、空間的輝度変化として現れる。したがって、携帯端末３０では、その空間的輝度変化に基づいて、ID情報（の符号化情報）f(t)を抽出することができる。
【０２９２】
図１７は、ゲート表示装置２０で表示される重畳画像の例を示す図である。
【０２９３】
図１７の重畳画像では、入場ゲート１１の情報をユーザに分かりやすく伝えるための所定のテキストが、無模様一色の背景画像に表示された元画像に、ID情報（の符号化情報）が重畳されている。
【０２９４】
図１７において、所定のテキストとしては、入場ゲート１１を識別する文字列「入場ゲート  Ｓ−５」、及び、携帯端末３０のカメラ３２を、ゲート表示装置２０に向けるように促すメッセージ「チケットを向けてください」が表示されている。
【０２９５】
図１８は、図１２の抽出部８２の構成例を示すブロック図である。
【０２９６】
なお、ここでは、説明を簡単にするため、例えば、図１７に示したような、所定のテキストが、無模様一色の背景画像に表示されている元画像にID情報が重畳された重畳画像を撮影した撮影画像を対象として、ID情報（の符号化情報）f(t)を抽出することとする。
【０２９７】
また、撮影画像（重畳画像）を構成する元画像における背景画像の色（背景色）は、既知であることとする。
【０２９８】
図１８において、抽出部８２は、背景判定部１０１、積分部１０２、積分値記憶部１０３、偏差算出部１０４、分離部１０５、エラー訂正部１０６、及び、情報記憶部１０７を有する。
【０２９９】
背景判定部１０１には、カメラドライバ８１（図１２）から、図１７に示したような所定のテキストが無模様一色の背景画像に表示されている元画像にID情報が重畳された重畳画像を撮影した撮影画像が、フレーム単位で供給される。
【０３００】
背景判定部１０１は、カメラドライバ８１からの撮影画像の各画素について、その画素が、背景画像の画素（背景画像の色の画素）（以下、背景画素ともいう）であるかどうかを判定し、その判定結果を表す画素情報とともに、撮影画像を、積分部１０２に供給する。
【０３０１】
積分部１０２は、背景判定部１０１からの画素情報に基づき、同じく背景判定部１０１からの撮影画像の画素のうちの背景画素のみを対象として、画素値の積分を、ラインごとに行う。そして、積分部１０２は、各ラインの背景画素の画素値の積分値を、ライン積分値として、積分値記憶部１０３に供給する。
【０３０２】
積分値記憶部１０３は、積分部１０２から供給されるライン積分値を、１フレーム単位で記憶する。
【０３０３】
偏差算出部１０４は、積分値記憶部１０３に記憶された１フレームの撮影画像のライン積分値すべての平均値を、積分平均値として求める。さらに、偏差算出部１０４は、積分値記憶部１０３に記憶された１フレームの撮影画像のライン積分値の平均値に対する偏差、すなわち、例えば、対数偏差（比率）を求め、分離部１０５に供給する。
【０３０４】
分離部１０５は、撮影画像を撮影したフォーカルプレーンシャッタ方式のカメラ３２のシャッタの特性を表すシャッタ関数を用いて、偏差算出部１０４からのライン積分値の偏差のデコンボリューションを行うことで、撮影画像に重畳されたID情報f(t)を分離する。
【０３０５】
ここで、シャッタ関数をs(t)と、第yライン（上からy番目の水平ライン）のライン積分値の偏差をu(y)と、無模様一色の背景画像の色をubgと、ID情報（の符号化情報）をf(t)と、それぞれ、表すこととすると、ライン積分値の偏差u(y)は、式（１）で表すことができる。
【０３０６】
u(y)=(s(t)*f(t))ubg
・・・（１）
【０３０７】
なお、*は、コンボリューションを表す。
【０３０８】
いま、第yラインの時刻tのシャッタ関数s(t)の関数値をy行t列のコンポーネントとする正方行列を、Sと表すこととする。また、時刻tのID情報f(t)を、t行のコンポーネントとする列ベクトルを、Fと表すとともに、第yラインのライン積分値の偏差u(y)を、y行のコンポーネントとする列ベクトルを、Uと表すこととする。
【０３０９】
この場合、式（１）は、正方行列S、並びに、列ベクトルF及びUを用いて、式（２）で表される。
【０３１０】
U=SFubg
・・・（２）
【０３１１】
正方行列Sの擬似逆行列を、S^と表すこととすると、式（２）のID情報(F)は、シャッタ関数(S)を用いたライン積分値の偏差(U)のデコンボリューションを行う式（３）に従って求めることができる。
【０３１２】
F=(1/ubg)S^U
・・・（３）
【０３１３】
分離部１０５は、式（３）に従って、ID情報f(t)（をコンポーネントとする列ベクトルF）を求める。
【０３１４】
分離部１０５は、式（３）に従って求めたID情報(f(t))を、エラー訂正部１０６に供給する。
【０３１５】
エラー訂正部１０６は、カメラ３２で重畳画像が撮影されている間に、分離部１０５から供給されるID情報を、情報記憶部１０７に供給して記憶させる。
【０３１６】
さらに、エラー訂正部１０６は、情報記憶部１０７に記憶された複数のID情報を対象とした多数決により、正しい（と推定される）ID情報（の符号化情報）を求め、復号部８３（図１２）に供給する。
【０３１７】
以上のように構成される抽出部８２では、背景判定部１０１は、カメラドライバ８１からの１フレームの撮影画像の各画素について、その画素が背景画素であるかどうかを判定し、その判定結果を表す画素情報とともに、撮影画像を、積分部１０２に供給する。
【０３１８】
積分部１０２は、背景判定部１０１からの画素情報に基づき、背景判定部１０１からの撮影画像の画素のうちの背景画素のみを対象として、画素値の積分を、ラインごとに行うことにより、ライン積分値を求め、積分値記憶部１０３に供給して記憶させる。
【０３１９】
偏差算出部１０４は、積分値記憶部１０３にライン積分値が記憶された１フレームの撮影画像について、ライン積分値の偏差を求め、分離部１０５に供給する。
【０３２０】
分離部１０５は、カメラ３２のシャッタの特性を表すシャッタ関数s(t)を用いて、偏差算出部１０４からのライン積分値の偏差u(t)のデコンボリューションを、式（３）に従って行うことで、撮影画像に重畳されたID情報f(t)を分離し、エラー訂正部１０６に供給する。
【０３２１】
エラー訂正部１０６は、分離部１０５から供給されるID情報を、情報記憶部１０７に供給して記憶させる。
【０３２２】
背景判定部１０１ないしエラー訂正部１０６では、例えば、カメラ３２で所定の期間に撮影された複数フレームの撮影画像について、同様の処理が繰り返され、これにより、情報記憶部１０７には、複数のID情報が記憶される。
【０３２３】
エラー訂正部１０６は、情報記憶部１０７に記憶された複数のID情報を対象とした多数決を行い、最多のID情報が、所定数以上存在する場合、撮影画像からのID情報の抽出に成功したこととして、その最多のID情報（の符号化情報）を、復号部８３（図１２）に供給する。
【０３２４】
図１９は、任意の画像を背景画像とする元画像に重畳されたID情報を、撮影画像から抽出する方法を説明する図である。
【０３２５】
上述の場合には、元画像として、例えば、図１７に説明したような、入場ゲート１１の情報等を表す所定のテキストが、無模様一色の背景画像に表示されている画像を採用したが、元画像には、無模様一色の背景画像以外の背景画像の使用が要請されることがある。
【０３２６】
すなわち、イベントでは、例えば、ユーザインターフェース、デザイン、広告等の観点から、任意の画像を、元画像の背景画像に使用したい場合がある。
【０３２７】
フォーカルプレーンシャッタ方式のCMOSイメージセンサの中には、ラインごと又は画素ごとに、露光時間（露光期間の長さ）を変えて撮影を行う機構を有するCMOSイメージセンサがあるが、そのようなCMOSイメージセンサを、カメラ３２に用いることによって、任意の画像を、元画像の背景画像として使用した場合であっても、撮影画像から、ID情報（の符号化情報）を抽出することができる。
【０３２８】
図１９のＡは、ラインごと又は画素ごとに、露光時間を変えて撮影を行う機構を有するフォーカルプレーンシャッタ方式の（CMOSイメージセンサを有する）カメラ３２のシャッタタイミングの例を示している。
【０３２９】
図１９のＡにおいて、横軸は時間を表し、縦軸は画素の垂直方向の位置を表している。
【０３３０】
図１９のＡでは、カメラ３２のラインごとの露光時間として、異なる２つの露光時間である第１の露光時間E1及び第２の露光時間E2があり、第１の露光時間E1の方が、第２の露光時間E2よりも長くなっている。
【０３３１】
また、カメラ３２において、第１の露光時間E1のラインと、第2の露光時間E2のラインとは、互いに近傍にあり、図１９のＡでは、第１の露光時間E1のラインと、第2の露光時間E2のラインとが、交互に配置されている。
【０３３２】
第１の露光時間E1と、第２の露光時間E2とでは、露光時間が異なるため、カメラ３２で重畳画像が撮影されるときの、その重畳画像に重畳されているID情報（の符号化情報）f(t)の時間変化の時間積分のされ方も異なる。
【０３３３】
その結果、第１の露光時間E1のラインを集めて構成される画像u1(x,y)と、第２の露光時間E2のラインを集めて構成される画像u2(x,y)とでは、画像u1(x,y)とu2(x,y)とに現れるID情報f(t)に対応する空間的輝度変化としての横縞の輝度パターンが、異なる。
【０３３４】
図１９のＢは、画像u1(x,y)とu2(x,y)から、任意の画像である元画像ubg(x,y)と、その元画像ubg(x,y)に重畳されたID情報f(t)とを分離する様子を示す図である。
【０３３５】
いま、画像u1(x,y)の画素値のラインごとの積分値のうちの第yラインのライン積分値を、u1(y)と表すとともに、画像u2(x,y)の画素値のラインごとの積分値のうちの第yラインのライン積分値を、u2(y)と表すこととする。さらに、元画像ubg(x,y)の画素値のラインごとの積分値のうちの第yラインのライン積分値を、ubg(y)と表すこととする。また、第１の露光時間E1のラインのシャッタ関数を、s1(t)と表すとともに、第２の露光時間E2のラインのシャッタ関数を、s2(t)と表すこととする。
【０３３６】
この場合、ライン積分値u1(y)及びu2(y)は、式（４）及び式（５）で表すことができる。
【０３３７】
u1(y)=(s1(t)*f(t))ubg(y)
・・・（４）
u2(y)=(s2(t)*f(t))ubg(y)
・・・（５）
【０３３８】
いま、例えば、第１の露光時間E1が、ID情報f(t)の輝度変化の周期の整数倍になっているとすると、その第１の露光時間E1で撮影された画像u1(x,y)のライン積分値u1(y)では、第１の露光時間E1での積分によって、ID情報f(t)の輝度変化が相殺される。したがって、式（４）のライン積分値u1(y)は、kを定数として、式（６）で表される。
【０３３９】
u1(y)=k・ubg(y)
・・・（６）
【０３４０】
式（６）を、式（５）に代入することにより、ライン積分値u2(y)は、式（７）で表される。
【０３４１】
u2(y)=(s2(t)*f(t))u1(y)/k
・・・（７）
【０３４２】
式（７）は、未知の定数（スケーリング係数）kがあることを除いて、式（１）と同一の形になっているので、図１８で説明したように、ID情報f(t)を求めることができる。
【０３４３】
したがって、第１の露光時間E1を、ID情報f(t)の輝度変化の周期の整数倍に設定することにより、元画像（の背景画像）として、無模様一色の画像以外の任意の画像を使用した場合であっても、式（７）に従って、撮影画像から、ID情報（の符号化情報）f(t)を抽出することができる。
【０３４４】
以上のように、抽出部８２では、重畳画像を、ラインごとに異なる露光時間で撮影することにより得られる撮影画像の、第１の露光時間E1で撮影された画素の画素値の積分を、ラインごとに行うことにより、ライン積分値u1(y)を求めるとともに、第２の露光時間E2で撮影された画素の画素値の積分を、ラインごとに行うことにより、ライン積分値u2(y)を求め、式（７）に示すように、ライン積分値u2(y)が、ID情報f(t)と第２の露光時間E2を表すシャッタ関数s2(t)とのコンボリューションと、ライン積分値u1(y)との積に比例することを利用して、撮影画像に重畳されたID情報f(t)を分離することができる。
【０３４５】
＜チケット認証の手順の他の例＞
【０３４６】
図２０は、図６の入場ゲートシステムでのチケット認証の手順の他の例を説明する図である。
【０３４７】
図８では、認証として、注目チケットのチケット認証だけが行われるが、図２０では、注目チケットのチケット認証の他、生体認証によるユーザの認証（ユーザ認証）が行われる。
【０３４８】
ここで、図２０では、携帯端末３０は、ユーザの生体情報を取得する（センシングする）、後述する生体センサ１２１（図２１）を有することとする。
【０３４９】
図８の場合と同様に、ユーザは、レーンに並び、入場ゲート１１に近づいたら、携帯端末３０のチケットアプリケーションを起動する。
【０３５０】
チケットアプリケーションでは、携帯端末３０に保存されている電子チケットの一覧が、携帯端末３０のタッチパネル３１に表示される。ユーザは、タッチパネル３１に表示されたチケットの一覧から、注目チケットを選択する。
【０３５１】
チケットアプリケーションは、注目チケットが選択されると、ステップＳ１０１として、ユーザの生体情報を取得する（センシングする）、後述する生体センサ１２１を起動する。
【０３５２】
ステップＳ１０２として、ユーザは、入場ゲート１１に向かって歩きつつ、生体センサ１２１に、ユーザの生体情報を取得させる。
【０３５３】
ここで、生体情報としては、例えば、図２０に示すように、顔全体の画像や、顔のうちの眼の部分の画像、指紋等を採用することができる。
【０３５４】
生体情報として、顔全体の画像を採用する場合、生体認証としては、その顔全体の画像を用いた顔認証を行うことができる。また、生体情報として、眼の部分の画像を採用する場合には、生体認証としては、その眼の部分を用いた虹彩認証を行うことができる。さらに、生体情報として、指紋を採用する場合には、生体認証としては、その指紋を用いた指紋認証を行うことができる。
【０３５５】
チケットアプリケーションは、注目チケットに対応付けられている生体情報（以下、登録生体情報ともいう）の有無を確認する。そして、登録生体情報がない場合には、チケットアプリケーションは、生体センサ１２１で取得された生体情報（以下、取得生体情報ともいう）を、登録生体情報として、注目チケットに対応付ける。
【０３５６】
すなわち、生体センサ１２１で取得生体情報が取得されたユーザを、注目チケットの正当な使用者として扱うことができるように、チケットアプリケーションは、取得生体情報を、登録生体情報として、注目チケットに対応付ける。
【０３５７】
その後、チケットアプリケーションは、タッチパネル３１に、認証待ち画像を表示させる。
【０３５８】
一方、注目チケットに対応付けられている登録生体情報がある場合には、チケットアプリケーションは、取得生体情報と登録生体情報とを比較することで、生体認証を行い、ユーザが、注目チケットの正当な使用者であるかどうかを認証するユーザ認証を行う。
【０３５９】
取得生体情報と登録生体情報とが合致せず、生体認証、ひいては、ユーザ認証に失敗した場合、チケットアプリケーションは、タッチパネル３１に、NG画像を表示する。
【０３６０】
また、取得生体情報と登録生体情報とが合致し、生体認証、ひいては、ユーザ認証に成功した場合、チケットアプリケーションは、タッチパネル３１に、認証待ち画像を表示させる。
【０３６１】
タッチパネル３１に認証待ち画面が表示されると、チケットアプリケーションは、カメラ３２を起動する。
【０３６２】
カメラ３２の起動後、ユーザは、カメラ３２を、ユーザが並んでいるレーンの入場ゲート１１に設置されたゲート表示装置２０に向けて、入場ゲート１１に向かって、さらに歩いて行く。
【０３６３】
その後は、ステップＳ１０３，Ｓ１０４、及び、Ｓ１０５として、注目チケットのチケット認証が行われる図８のステップＳ２，Ｓ３、及び、Ｓ４と同様の手順が実行される。
【０３６４】
なお、図２０では、生体認証によるユーザ認証を行い、その後、注目チケットのチケット認証を行うこととしたが、ユーザ認証と、注目チケットのチケット認証とは、ユーザが、入場ゲート１１を通過する前に完了していれば良い。すなわち、ユーザ認証と、チケット認証とは、並列に行っても良いし、チケット認証を行い、その後、ユーザ認証を行っても良い。
【０３６５】
また、上述の場合には、注目チケットの購入後、その注目チケットの最初の使用時に、取得生体情報が、登録生体情報として、注目チケットに対応付けられるが、登録生体情報は、注目チケットが（最初に）使用される前に、注目チケットに対応付けることができる。
【０３６６】
すなわち、ユーザは、例えば、注目チケットの購入直後等の、注目チケットを使用する前の任意のタイミングにおいて、携帯端末３０で生体情報を取得し、その取得された生体情報（取得生体情報）を、登録生体情報として、注目チケットに対応付けることができる。
【０３６７】
＜ゲート表示装置２０及び携帯端末３０の機能的構成例＞
【０３６８】
図２１は、ユーザ認証及びチケット認証を行う場合の、ゲート表示装置２０及び携帯端末３０の機能的構成例を示すブロック図である。
【０３６９】
なお、図中、図１２の場合と対応する部分には、同一の符号を付してあり、以下では、その説明は、適宜省略する。
【０３７０】
図２１において、ゲート表示装置２０は、図１２と同様に構成される。
【０３７１】
また、図２１において、携帯端末３０は、生体センサ１２１、生体センサドライバ１２２、及び、生体認証部１２３が新たに設けられている点で、図１２の場合と相違する。
【０３７２】
生体センサ１２１ないし生体認証部１２３のうちの、生体センサドライバ１２２及び生体認証部１２３は、チケットアプリケーションによって（仮想的に）実現され、生体センサ１２１は、携帯端末３０に、ハードウェアとして設けられる。
【０３７３】
生体センサ１２１は、ユーザの生体情報をセンシングすることにより取得し、生体センサドライバ１２２に供給する。
【０３７４】
ここで、生体情報として、顔の画像を採用し、生体認証として、その顔の画像を用いて、顔認証や虹彩認証を行う場合には、生体センサ１２１としては、例えば、重畳画像を撮影するカメラ３２の背面に設けられたカメラ３３（図１１）を採用することができる。
【０３７５】
この場合、ユーザは、入場ゲート１１において、携帯端末３０の正面のカメラ３２で、ゲート表示装置２０に表示された重畳画像を撮影しながら、携帯端末３０の背面のカメラ３３で、ユーザの顔の画像を撮影することができる。
【０３７６】
生体情報として、指紋を採用し、生体認証として、その指紋を用いて、指紋認証を行う場合には、生体センサ１２１としては、指紋をセンシングする指紋センサを採用することができる。この場合、携帯端末３０には、生体センサ１２１としての指紋センサを設ける必要がある。
【０３７７】
生体センサドライバ１２２は、生体センサ１２１を制御する。
【０３７８】
すなわち、生体センサドライバ１２２は、チケットアプリケーションが起動されると、コントローラ８７の制御に従って、生体センサ１２１を起動し、生体センサ１２１に、ユーザの生体情報を取得させる。そして、センサドライバ１２２は、生体センサ１２１が取得した生体情報を、取得生体情報として、生体認証部１２３に供給する。
【０３７９】
生体認証部１２３は、生体センサドライバ１２２から取得生体情報が供給されると、電子チケット記憶部８５に記憶された注目チケットに対応付けられた登録生体情報を読み出し、取得生体情報と登録生体情報とが合致するかどうかの生体認証を行う。
【０３８０】
取得生体情報と登録生体情報とが合致しない場合、生体認証部１２３は、生体認証によるユーザ認証に失敗したとして、その旨の認証結果を、コントローラ８７に供給する。
【０３８１】
また、取得生体情報と登録生体情報とが合致する場合、生体認証部１２３は、生体認証によるユーザ認証に成功したとして、その旨の認証結果を、コントローラ８７に供給する。
【０３８２】
コントローラ８７は、生体認証部１２３から、ユーザ認証に成功した旨の認証結果が供給された場合、ユーザが注目チケットの正当な使用者であると認識し、ディスプレイドライバ８６を制御して、認証待ち画像を、タッチパネル３１に表示させる。
【０３８３】
また、コントローラ８７は、生体認証部１２３から、ユーザ認証に失敗した旨の認証結果が供給された場合、ユーザが注目チケットの正当な使用者ではなく、注目チケットでの入場を許可しない旨の入場可否判定を行う。
【０３８４】
コントローラ８７は、注目チケットでの入場を許可しない旨の入場可否判定を行った場合、ディスプレイドライバ８６を制御して、NG画像を、タッチパネル３１に表示させる。
【０３８５】
なお、電子チケット記憶部８５において、注目チケットに対応付けて、登録認証情報が登録（記憶）されていない場合、生体認証部１２３は、生体センサドライバ１２２からの取得生体情報を、登録生体情報として、注目チケットに対応付けて、電子チケット記憶部８５に登録する。
【０３８６】
＜ゲート表示装置２０及び携帯端末３０の処理＞
【０３８７】
図２２は、図２１のゲート表示装置２０及び携帯端末３０の処理の例を説明するフローチャートである。
【０３８８】
なお、図２１のゲート表示装置２０の処理は、図１３の場合と同様であるため、図示及び説明を省略する。
【０３８９】
ユーザは、サイト等から購入した電子チケットが電子チケット記憶部８５に記憶された携帯端末３０を携行する。そして、ゲート表示装置２０（の表示部２１）に表示された重畳画像を見て、適切な入場ゲート１１のレーンに並び、入場ゲート１１に向かって歩いて行く。
【０３９０】
ユーザは、入場ゲート１１に近づいたら、携帯端末３０のタッチパネル３１を操作して、チケットアプリケーションを起動する。
【０３９１】
チケットアプリケーションが起動すると、コントローラ８７は、ディスプレイドライバ８６を制御することにより、電子チケット記憶部８５に記憶された電子チケットの一覧（チケットリスト選択画面）を、タッチパネル３１に表示させる。
【０３９２】
その後、ユーザが、タッチパネル３１を操作して、タッチパネル３１に表示された電子チケットの一覧の中から、入場ゲート１１からの入場に必要な電子チケットを選択すると、ステップＳ１２１において、コントローラ８７は、ユーザが選択した電子チケットを、注目チケットとして選択する。
【０３９３】
そして、処理は、ステップＳ１２１からステップＳ１２２に進み、以下、注目チケットを使用するユーザが、正当な使用者であるかどうかを確認するユーザ認証が、生体認証により行われる。
【０３９４】
すなわち、ステップＳ１２２において、コントローラ８７は、生体センサドライバ１２２を制御することにより、生体センサ１２１に、携帯端末３０を所持するユーザの生体情報を取得させる。
【０３９５】
生体センサ１２１は、生体センサドライバ１２２の制御に従い、例えば、ユーザの顔の画像や指紋等の生体情報を取得し、取得生体情報として、生体センサドライバ１２２に供給する。生体センサドライバ１２２は、生体センサ１２１からの取得生体情報を、生体認証部１２３に供給する。
【０３９６】
その後、処理は、ステップＳ１２２からステップＳ１２３に進み、生体認証部１２３は、生体センサ１２１で生体情報が取得されたかどうか、すなわち、生体センサドライバ１２２から取得生体情報が供給されたかどうかを判定する。
【０３９７】
ステップＳ１２３において、取得生体情報が供給されていないと判定された場合、処理は、ステップＳ１２２に戻り、以下、同様の処理が繰り返される。
【０３９８】
また、ステップＳ１２３において、取得生体情報が供給されたと判定された場合、処理は、ステップＳ１２４に進み、生体認証部１２３は、電子チケット記憶部８５に、注目チケットに対応付けられた登録生体情報が登録されているかどうかを判定する。
【０３９９】
ステップＳ１２４において、登録生体情報が登録されていないと判定された場合、処理は、ステップＳ１２５に進み、生体認証部１２３は、取得生体情報を、注目チケットに対応付けて、電子チケット記憶部８５に登録し、処理は、ステップＳ１２６に進む。
【０４００】
ステップＳ１２６では、図１３のステップＳ３２ないしＳ４１と同様の、注目チケットのチケット認証を行うチケット認証処理が行われる。
【０４０１】
一方、ステップＳ１２４において、登録生体情報が登録されていると判定された場合、処理は、ステップＳ１２７に進み、生体認証部１２３は、電子チケット記憶部８５に登録された注目チケットに対応付けられた登録生体情報を読み出し、取得生体情報と登録生体情報とが合致するかどうかの生体認証を行うことにより、ユーザ認証を行う。
【０４０２】
すなわち、ステップＳ１２７において、生体認証部１２３は、取得生体情報が、登録生体情報と合致するかどうかを判定する。
【０４０３】
ステップＳ１２７において、取得生体情報が、登録生体情報と合致すると判定された場合、生体認証部１２３は、生体認証によるユーザ認証に成功したとして、その旨の認証結果を、コントローラ８７に供給する。
【０４０４】
コントローラ８７は、生体認証部１２３から、ユーザ認証に成功した旨の認証結果が供給された場合、ユーザが注目チケットの正当な使用者であると認識する。この場合、処理は、ステップＳ１２７からステップＳ１２６に進み、図１３のステップＳ３２ないしＳ４１と同様の、注目チケットのチケット認証を行うチケット認証処理が行われる。
【０４０５】
一方、ステップＳ１２７において、取得生体情報が、登録生体情報と合致しないと判定された場合、生体認証部１２３は、生体認証によるユーザ認証に失敗したとして、その旨の認証結果を、コントローラ８７に供給する。
【０４０６】
コントローラ８７は、生体認証部１２３から、ユーザ認証に失敗した旨の認証結果が供給された場合、ユーザが注目チケットの正当な使用者ではなく、注目チケットでの入場を許可しない旨の入場可否判定を行う。
【０４０７】
コントローラ８７が、注目チケットでの入場を許可しない旨の入場可否判定を行った場合、処理は、ステップＳ１２７からステップＳ１２８に進む。
【０４０８】
ステップＳ１２８では、コントローラ８７は、ディスプレイドライバ８６を制御して、電子チケット記憶部８５に記憶された注目チケットのチケット画像に含まれるNG画像を、タッチパネル３１に表示させる。
【０４０９】
ゲート係員は、ユーザが所持する携帯端末３０（のタッチパネル３１）に表示されたNG画像を確認した場合、ユーザを一旦引き留めて、適切な誘導を行う。
【０４１０】
その後、処理は、ステップＳ１２８からステップＳ１２９に進み、コントローラ８７は、ディスプレイドライバ８６を制御することにより、タッチパネル３１に表示されたNG画像を消去させる。
【０４１１】
なお、図２２では、図２０と同様に、生体認証によるユーザ認証を行い、その後、チケット認証を行うこととしたが、ユーザ認証と、チケット認証とは、並列に行っても良いし、チケット認証を行い、その後、ユーザ認証を行っても良い。
【０４１２】
＜ユーザの行動及び携帯端末３０の処理＞
【０４１３】
図２３は、ユーザ認証とチケット認証の両方を行う場合の、ユーザの行動及び携帯端末３０の処理の例を説明するシーケンス図である。
【０４１４】
ステップＳ１５１において、ユーザは、チケットアプリケーションを起動する。
【０４１５】
チケットアプリケーションは、起動後、ステップＳ１６１において、電子チケット記憶部８５に、電子チケットの一覧であるチケットリストを要求して受信する。
【０４１６】
さらに、チケットアプリケーションは、ステップＳ１６２において、チケットリストから注目チケットを選択するためのチケットリスト選択画面の表示を、タッチパネル３１の表示部５８（を制御するディスプレイドライバ８６）に要求する。表示部５８は、チケットアプリケーションからの要求に応じて、チケットリスト選択画面を表示する。
【０４１７】
ユーザは、ステップＳ１５２において、表示部５８に表示されたチケットリスト選択画面を見て、電子チケットを選択し、チケットアプリケーションは、ユーザが選択した電子チケットを、注目チケットに選択する。
【０４１８】
さらに、チケットアプリケーションは、ステップＳ１６３において、生体センサ１２１を起動させる（生体センサ１２１の起動を、生体センサドライバ１２２に要求する）。
【０４１９】
また、チケットアプリケーションは、ステップＳ１６４において、カメラ３２を起動させる（カメラ３２の起動を、カメラドライバ８１に要求する）。
【０４２０】
そして、チケットアプリケーションは、ステップＳ１６５において、認証待ち画像の表示を、表示部５８に要求する。表示部５８は、ステップＳ２２１において、チケットアプリケーションからの要求に応じて、認証待ち画像を表示する。
【０４２１】
カメラ３２の起動後、表示部５８に表示された認証待ち画像を確認したユーザは、ステップＳ１５３において、カメラ３２を、ゲート表示装置２０に向ける。
【０４２２】
また、チケットアプリケーションによって起動された生体センサ１２１は、ユーザの生体情報を取得し、ステップＳ１９１において、その生体情報を、取得生体情報として、チケットアプリケーションに供給する。
【０４２３】
チケットアプリケーションは、生体センサ１２１からの取得生体情報を受信し、ステップＳ１６６において、電子チケット記憶部８５に、注目チケットに対応付けられている登録生体情報を要求して取得する。
【０４２４】
さらに、チケットアプリケーションは、ステップＳ１６７において、取得生体情報と登録生体情報とを用いて、それらが合致するかどうかの生体認証を行うことにより、ユーザ認証を行う。
【０４２５】
なお、注目チケットに、登録生体情報が対応付けられていない場合、チケットアプリケーションは、ステップＳ１６７において、取得生体情報を、登録生体情報として、注目チケットに対応付けて、電子チケット記憶部８５に登録する。
【０４２６】
その後、チケットアプリケーションは、ステップＳ１６８において、生体センサ１２１による生体情報の取得を終了させる。
【０４２７】
一方、ゲート表示装置２０に向けられたカメラ３２は、ゲート表示装置２０に表示された重畳画像の撮影を開始し、ステップＳ２１１において、重畳画像の撮影により得られる撮影画像（の画像データ）を、チケットアプリケーションに供給する。
【０４２８】
チケットアプリケーションは、ステップＳ１６９において、カメラ３２からの撮影画像から符号化情報（ID情報）を抽出し、その抽出の成否を判定する。
【０４２９】
チケットアプリケーションは、撮影画像からの符号化情報の抽出に成功すると、ステップＳ１７０において、その符号化情報をID情報に復号する。
【０４３０】
そして、チケットアプリケーションは、ステップＳ１７１において、電子チケット記憶部８５に、注目チケットの属性情報と使用回数とを要求して受信する。
【０４３１】
チケットアプリケーションは、ステップＳ１７２において、注目チケットの使用回数をインクリメントし、そのインクリメント後の使用回数、注目チケットの属性情報、及び、撮影画像から抽出されたID情報を用いて、チケット認証を行い、さらに、入場可否判定を行う。
【０４３２】
すなわち、チケットアプリケーションは、ID情報と、注目チケットの属性情報とを用いて、注目チケットのチケット認証を行うとともに、使用回数が、属性情報に含まれる上限値を超えているかどうかを判定する。
【０４３３】
ステップＳ１６７でのユーザ認証に成功し、かつ、チケット認証に成功した場合、使用回数が上限値を超えていないときには、入場可否判定として、注目チケットでの入場を許可する旨の判定が行われる。
【０４３４】
一方、ステップＳ１６７でのユーザ認証に失敗するか、若しくは、チケット認証に失敗した場合、又は、ユーザ認証及びチケット認証に成功したが、使用回数が上限値を超えている場合、入場可否判定として、注目チケットでの入場を許可しない旨の判定が行われる。
【０４３５】
その後、ステップＳ１７３において、チケットアプリケーションは、カメラ３２での重畳画像の撮影を終了させる。
【０４３６】
さらに、チケットアプリケーションは、ステップＳ１７４において、入場可否判定の判定結果に応じて、入場可否画像、すなわち、OK画像又はNG画像を、電子チケット記憶部８５に要求して取得する。
【０４３７】
そして、チケットアプリケーションは、ステップＳ１７５において、入場可否画像の表示を、表示部５８に要求する。表示部５８は、ステップＳ２２２において、チケットアプリケーションからの要求に応じて、入場可否画像を表示する。
【０４３８】
ユーザは、ステップＳ１５４において、表示部５８に表示された入場可否画像を、ゲート係員に確認してもらう。
【０４３９】
入場可否画像がOK画像である場合、ステップＳ１５５において、ユーザは、入場ゲート１１を通過する。
【０４４０】
そして、ステップＳ１５６において、ユーザは、入場可否画像の表示を終了するように、タッチパネル３１を操作する。
【０４４１】
チケットアプリケーションは、ステップＳ１７６において、ユーザの操作に応じて、表示部５８での入場可否画像の表示を終了させる。
【０４４２】
なお、入場可否画像がNG画像である場合、ユーザは、ゲート係員に引き留められる。
【０４４３】
また、図２３では、図１４と同様に、ユーザの操作に応じて、入場可否画像の表示を終了させる（入場可否画像を消去する）こととしたが、入場可否画像は、図１３で説明したように、符号化情報を抽出することができなくなってから、所定の時間が経過した場合に消去することができる。
【０４４４】
さらに、図２３では、ユーザ認証が行われる前に、ステップＳ２２１において、表示部５８に、認証待ち画像を表示することとしたが、認証待ち画像は、図２１及び図２２で説明したように、ユーザ認証の成功後に表示することができる。
【０４４５】
＜本技術を適用した入場ゲートシステムの第２実施の形態＞
【０４４６】
図２４は、本技術を適用した入場ゲートシステムの第２実施の形態の構成例を示す図である。
【０４４７】
図２４において、入場ゲートシステムは、１以上のゲート表示装置２０と、ユーザが所持する携帯端末３０とで構成される。
【０４４８】
ゲート表示装置２０は、図１２の場合と同様に構成され、携帯端末３０は、図１２又は図２１の場合と同様に構成される。
【０４４９】
図１９で説明したように、携帯端末３０の抽出部８５では、任意の画像を、元画像（の背景画像）として使用した場合であっても、撮影画像から、ID情報を抽出することができる。
【０４５０】
一方、イベントでは、例えば、ユーザの気分を高揚するために、様々なビデオを上映することがある。例えば、コンサートイベントでは、上演者のプロモーションビデオを会場内で上映することがあり、映画館では、予告編のビデオを上映することがある。
【０４５１】
携帯端末３０では、そのようなビデオにID情報を重畳した重畳画像を撮影した撮影画像から、ID情報を抽出することができるので、ゲート表示装置２０では、そのような重畳画像を表示することができる。
【０４５２】
図２４では、図示せぬ入場ゲートのレーンに沿って、プロモーションビデオにID情報を重畳した重畳画像を表示するゲート表示装置２０が、フロアに、複数配置されている。
【０４５３】
複数のゲート表示装置２０では、それぞれ、様々なシーンのプロモーションビデオにID情報を重畳した重畳画像が表示されている。
【０４５４】
ユーザは、複数のゲート表示装置２０が配置されたレーンを、入場ゲートに向かって歩いて行き、その複数のゲート表示装置２０に重畳画像として表示されたプロモーションビデオを楽しみながら、携帯端末３０を、ゲート表示装置２０にかざす。これにより、携帯端末３０では、上述した場合と同様に、チケット認証（及びユーザ認証）を行うことができる。
【０４５５】
＜本技術を適用した入場ゲートシステムの第３実施の形態＞
【０４５６】
図２５は、本技術を適用した入場ゲートシステムの第３実施の形態の構成例を示す図である。
【０４５７】
図２５において、入場ゲートシステムは、１以上のゲート表示装置２１０と、ユーザが所持する携帯端末３０とで構成される。
【０４５８】
図２５において、ゲート表示装置２１０は、印刷物としてのポスタ２１１と、照明装置２１２とを有する。
【０４５９】
印刷物としてのポスタ２１１には、例えば、イベントを宣伝する所定の画像（写真）が印刷されている。
【０４６０】
照明装置２１２は、ポスタ２１１の上部に設置されている、例えば、スポットライトである。照明装置２１２は、照明としての光を発光し、ポスタ２１１を照明する。
【０４６１】
図２５の入場ゲートシステムでは、ユーザの気分を高揚させる目的で、イベント会場の入場ゲートのレーンに沿って、ポスタ２１１が掲げられている。
【０４６２】
照明装置２１２は、ID情報に従って、照明の輝度を、人の視覚で知覚することができない程度の速さで変化させる。その結果、ポスタ２１１からの反射光による画像は、ポスタ２１１に印刷された画像に、ID情報が時間的輝度変化として重畳された重畳画像となる。
【０４６３】
ユーザは、ポスタ２１１に、携帯端末３０を向けて、ポスタ２１１からの反射光による重畳画像を撮影する。これにより、携帯端末３０では、上述した場合と同様に、チケット認証（及びユーザ認証）を行うことができる。
【０４６４】
＜ゲート表示装置２１０及び携帯端末３０の機能的構成例＞
【０４６５】
図２６は、図２５のゲート表示装置２１０及び携帯端末３０の機能的構成例を示すブロック図である。
【０４６６】
なお、図中、図１２の場合と対応する部分には、同一の符号を付してあり、以下では、その説明は、適宜省略する。
【０４６７】
図２６において、携帯端末３０は、図１２と同様に構成される。
【０４６８】
また、図２６において、ゲート表示装置２１０は、表示部２１に代えて、ポスタ２１１及び照明装置２１２が設けられている点で、図１２のゲート表示装置２０と相違する。
【０４６９】
図２６では、制御部７３は、照明装置２１２に制御信号を供給することにより、符号化部７２からの符号化情報に従って、照明装置２１２が発光する光の輝度を制御することで、ID情報（符号化されたID情報である符号化情報）を、ポスタ２１１に印刷された画像（元画像）に重畳する。
【０４７０】
すなわち、制御部７３は、符号化情報に従って、照明装置２１２の輝度を、人の視覚で知覚することができない速さで変化させる（変調する）ことで、ID情報を、時間的輝度変化として、ポスタ２１１に印刷された画像に重畳する。これにより、ポスタ２１１からの反射光による画像は、ID情報が、時間的輝度変化として、ポスタ２１１に印刷された画像に重畳された重畳画像になる。
【０４７１】
携帯端末３０では、ポスタ２１１からの反射光による画像（重畳画像）が撮影される。そして、携帯端末３０では、その撮影により得られる撮影画像からID情報が抽出され、そのID情報を用いて、チケット認証が行われる。
【０４７２】
なお、ID情報は、上述のように、ポスタ２１１に印刷された画像に重畳する他、例えば、プロジェクタにおいて、所定の画像に、時間的輝度変化として重畳することができる。この場合、携帯端末３０では、プロジェクタがスクリーンに投影する画像を撮影し、その撮影により得られる画像から、ID情報を抽出することができる。
【０４７３】
また、図２６において、携帯端末３０は、図２１に示した場合と同様に構成することができる。
【０４７４】
＜本技術を適用した入場ゲートシステムの第４実施の形態＞
【０４７５】
図２７は、本技術を適用した入場ゲートシステムの第４実施の形態の構成例を示す図である。
【０４７６】
図２７において、入場ゲートシステムは、１以上のゲート表示装置３００と、ユーザが所持する携帯端末３０とで構成される。
【０４７７】
図２７において、ゲート表示装置３００は、ゲート表示装置２０と同様に、表示部２１を有し、元画像に、ID情報とともに、クーポン（電子的なクーポンの情報）を重畳した重畳画像を表示する。
【０４７８】
ここで、イベントでは、ユーザへの特典授与として、例えば、１ドリンクの無料提供サービス等のクーポンを、入場のときにもらえることがある。
【０４７９】
図２７の入場ゲートシステムでは、ゲート表示装置３００において、元画像に、ID情報とともに、クーポンを、時間的輝度変化として重畳した重畳画像を表示することで、ユーザに、クーポンを提供する。
【０４８０】
すなわち、図２７の入場ゲートシステムでは、ユーザが、携帯端末３０で重畳画像を撮影することにより、チケット認証を行うとともに、ユーザにクーポンを提供することができる。
【０４８１】
図２７では、図示せぬ入場ゲートのレーンに沿って、複数のゲート表示装置３００が、フロアに配置されている。
【０４８２】
複数のゲート表示装置３００では、それぞれ、入場ゲートへの案内のためのテキストと、イベント会場で購入することができる商品とが表示された元画像に、ID情報及びクーポンを重畳した重畳画像が表示されている。
【０４８３】
重畳画像に表示された商品は、例えば、ゲート表示装置３００ごとに異なっており、重畳画像に重畳されたクーポンは、その重畳画像に表示された商品の割引クーポンになっている。
【０４８４】
ユーザは、複数のゲート表示装置３００が配置されたレーンを、入場ゲートに向かって歩いて行き、所望の商品の重畳画像が表示されたゲート表示装置３００に、携帯端末３０をかざす。これにより、携帯端末３０では、上述した場合と同様に、チケット認証（及びユーザ認証）が行われる。さらに、携帯端末３０では、ユーザが所望する商品のクーポンが取得される。
【０４８５】
＜ゲート表示装置３００及び携帯端末３０の機能的構成例＞
【０４８６】
図２８は、図２７のゲート表示装置３００及び携帯端末３０の機能的構成例を示すブロック図である。
【０４８７】
なお、図中、図１２の場合と対応する部分には、同一の符号を付してあり、以下では、その説明は、適宜省略する。
【０４８８】
図２８において、ゲート表示装置３００は、クーポン記憶部７４が新たに設けられている点で、図１２の場合と相違する。
【０４８９】
クーポン記憶部７４は、元画像に表示される商品のクーポンを記憶している。
【０４９０】
図２８では、符号化部７２は、クーポン記憶部７４に記憶されたクーポンを、例えば、ID情報に続けて、ID情報と同様に符号化し、その結果得られる符号化情報を、制御部７３に供給する。
【０４９１】
ここで、図２８では、元画像は、図２７で説明したように、入場ゲートへの案内のためのテキストと、イベント会場で購入することができる商品とが表示された画像になっている。
【０４９２】
したがって、図２８では、制御部７３が、符号化部７２からの符号化情報に従って、バックライト２１Ｂが発光する光の輝度を制御することで、入場ゲートへの案内のためのテキストと、イベント会場で購入することができる商品とが表示された元画像に、その商品のクーポンとID情報とが重畳された重畳画像が、表示部２１に表示される。
【０４９３】
携帯端末３０において、表示部２１に表示された重畳画像が撮影されると、その撮影により得られる撮影画像から、ID情報が抽出され、そのID情報を用いて、チケット認証が行われる。
【０４９４】
さらに、図２８では、携帯端末３０において、撮影画像から、クーポンが、ID情報と同様に抽出される。
【０４９５】
すなわち、携帯端末３０では、抽出部８２において、撮影画像から、クーポンの符号化情報が抽出され、復号部８３において、その符号化情報がクーポンに復号される。
【０４９６】
復号部８３で復号されたクーポンは、電子チケット記憶部８５に供給され、注目チケットに対応付けて登録される。
【０４９７】
電子チケット記憶部８５に、注目チケットと対応付けて登録されたクーポンは、ユーザが、携帯端末３０を操作することで、タッチパネル３１に表示される。ユーザは、タッチパネル３１に表示されたクーポンを、イベント会場で提示することで、所望の商品に対するサービスを受けることができる。
【０４９８】
なお、図２８において、携帯端末３０では、図２１の場合と同様に、生体認証によるユーザ認証を行うようにすることができる。
【０４９９】
以上のような本技術を適用した入場ゲートシステムによれば、上述したイベント等の入場についての第１ないし第５の要請に応えることができる。
【０５００】
すなわち、イベント等の入場については、第１の要請として、多人数を同時に入場させる（入場ゲートを通過させる）ことができることが要請されているが、本技術を適用した入場ゲートシステムによれば、第１の要請に応えることができる。
【０５０１】
例えば、本技術の入場ゲートシステムでは、入場ゲート１１のゲート表示装置２０において（ゲート表示装置２１０及び３００でも同様）、ID情報を重畳した重畳画像を表示し、その重畳画像を、携帯端末３０で撮影することで、チケット認証が行われる。
【０５０２】
したがって、本技術を適用した入場ゲートシステムでは、チケット認証が、個々の携帯端末３０で実行されるので、チケット認証の処理を、多数のユーザについて、完全に並列処理で行うことができる。
【０５０３】
また、本技術を適用した入場ゲートシステムによれば、ゲート表示装置２０で表示する重畳画像を十分大きくすることで、ゲート表示装置２０から少々離れた位置からでも、チケット認証を開始することができる。
【０５０４】
さらに、本技術を適用した入場ゲートシステムによれば、チケット認証にあたって、認証サーバとの通信がないので、チケット認証の速度が、イベント会場の通信帯域で律速されない。
【０５０５】
その結果、ユーザは、入場ゲート１１に向かって歩く歩調をゆるめることなく通過することができる。
【０５０６】
また、本技術を適用した入場ゲートシステムでは、ゲート表示装置２０において、元画像にID情報を時間的輝度変化として重畳し、その重畳により得られる重畳画像を表示する。そして、携帯端末３０において、重畳画像を撮影し、その撮影により得られる撮影画像から、ID情報を抽出する。
【０５０７】
携帯端末３０において、撮影画像から、ID情報を抽出する抽出技術としては、フォーカルプレーンシャッタ方式のイメージセンサを有するカメラ３２で重畳画像を撮影することで、重畳画像の時間的輝度変化として重畳されたID情報を、撮影画像の空間的輝度変化に変換する技術を採用する。
【０５０８】
フォーカルプレーションシャッタ方式のイメージセンサとしては、例えば、CMOSイメージセンサがあり、スマートフォン等の携帯端末に広く採用されている。したがって、撮影画像からのID情報の抽出にあたり、ユーザに、特殊なデバイスの準備を要求する必要がない。
【０５０９】
また、本技術を適用した入場ゲートシステムでは、チケット認証等による入場可否判定の判定結果が、結果画像として、携帯端末３０に表示されるので、ゲート係員は、その結果画像を見るだけで、電子チケットのチェックを、容易に行うことができる。
【０５１０】
さらに、結果画像は、電子チケットに含めて、ユーザに提供することができる。この場合、イベントの主催者が、例えば、確認が容易で、その場での複製が困難な画像を、結果画像として用意することができる。
【０５１１】
また、本技術を適用した入場ゲートシステムでは、携帯端末３０のタッチパネル３１と同一の正面に設けられたカメラ３２で、ゲート表示装置２０に表示された重畳画像を撮影することができる。したがって、ユーザは、携帯端末３０で、重畳画像を撮影しつつ、その撮影により得られる撮影画像から抽出されるID情報を用いたチケット認証等による入場可否判定の判定結果としての結果画像を、ゲート係員に提示する体勢をとることができる。その結果、ユーザが入場ゲート１１を通過する通過速度を速くすることができる。
【０５１２】
さらに、本技術を適用した入場ゲートシステムでは、携帯端末３０において、ID情報を抽出することができなくなってから、所定の時間の経過後に、結果画像を消去することができる。この場合、ユーザが入場ゲート１１の通過した後、それほど間をおかずに、結果画像が消去されるので、結果画像を、その場で、第三者が不正に複製することを困難にすることができる。
【０５１３】
また、イベント等の入場については、第２の要請として、クラスの異なるレーンが隣接している場合に混乱がないことが要請されているが、本技術を適用した入場ゲートシステムによれば、第２の要請に応えることができる。
【０５１４】
例えば、本技術を適用した入場ゲートシステムでは、ID情報が、重畳画像に重畳された形の可視光で、ゲート表示装置２０から携帯端末３０に情報伝達される。可視光の指向性によれば、携帯端末３０のカメラ３２を、隣のレーンのゲート表示装置２０に向けない限り、隣のレーンとの間でのID情報の混信をすることはない。
【０５１５】
その結果、隣のレーンとの間でのID情報が混信することによる、チケット認証のエラーを防止し、ひいては、クラスの異なるレーンが隣接している場合に混乱が生じることを防止することができる。
【０５１６】
また、イベント等の入場については、第３の要請として、再入場の禁止や制限に対応することが要請されているが、本技術を適用した入場ゲートシステムによれば、第３の要請に応えることができる。
【０５１７】
例えば、認証に用いるQRコード等をリーダで読み取って、認証を行う場合には、認証は、QRコード等を読み取る側で行われる。
【０５１８】
これに対して、本技術を適用した入場ゲートシステムでは、チケット認証が、ゲート表示装置２０ではなく、携帯端末３０で行われる。そのため、携帯端末３０において、電子チケットの使用回数を記憶することができる。
【０５１９】
そして、携帯端末３０に記憶された電子チケットの使用回数を用いることにより、電子チケットでの再入場を禁止することや、電子チケットでの（再）入場を、複数回数であるN回までに制限することに対応することができる。
【０５２０】
なお、携帯端末３０に記憶された電子チケットの使用回数を用いて、再入場を禁止することや、入場をN回までに制限することとしても、そのために、ゲート表示装置２０と携帯端末３０との間の通信は発生しない。したがって、使用回数を用いて、再入場を禁止することや、入場をN回までに制限することとしても、ユーザが入場ゲート１１を通過する通過速度を低下させる要因にはならない。
【０５２１】
イベント等の入場については、第４の要請として、チケットの使い回しの禁止に対応することが要請されているが、本技術を適用した入場ゲートシステムによれば、第４の要請に応えることができる。
【０５２２】
例えば、本技術を適用した入場ゲートシステムでは、チケット認証と、生体認証によるユーザ認証とを行い、そのチケット認証及びユーザ認証の結果に応じて、入場可否判定を行うことができる。生体認証によるユーザ認証によれば、例えば、２回目以降の入場時において、初回の入場時のユーザと異なるユーザが、電子チケットを使用していないかどうかを確認することができる。
【０５２３】
また、本技術を適用した入場ゲートシステムでは、生体認証に用いるユーザの生体情報は、携帯端末３０の外部に出力されることがなく、個人情報の保護に資することができ、ユーザは、生体認証を安心して利用することができる。
【０５２４】
電子チケットにユーザの生体情報を対応付ける対応付け方法としては、図２０で説明したように、電子チケットの最初の使用時に、取得生体情報を、登録生体情報として、電子チケットに対応付ける第１の対応付け方法がある。さらに、対応付け方法としては、図２０で説明したように、電子チケットの購入直後等の、電子チケットを使用する前の任意のタイミングにおいて、取得生体情報を、登録生体情報として、電子チケットに対応付ける第２の対応付け方法がある。
【０５２５】
電子チケットを使用する使用者が、携帯端末３０を所有する所有者と異なる場合には、電子チケットに使用者の生体情報を対応付ける対応付け方法として、第１の対応付け方法を採用することができる。
【０５２６】
すなわち、例えば、ユーザが、携帯端末３０を、イベント会場でレンタルし、必要に応じて、電子チケットを購入して、その電子チケットを、イベント会場への入場や商品の購入等に使用する場合には、第１の対応付け方法によって、電子チケットの使用者としてのユーザの生体情報を、電子チケットに対応付けることができる。
【０５２７】
また、例えば、電子チケットを購入した購入者のみが、その電子チケットを使用することができるイベントについては、購入者の生体情報を電子チケットに対応付ける対応付け方法として、第２の対応付け方法を採用し、例えば、電子チケットの購入時（直後）に、購入者の生体情報を、電子チケットに対応付けることができる。
【０５２８】
生体情報としては、図２０で説明したように、顔全体の画像や、眼の部分の画像、指紋等を採用することができる。
【０５２９】
生体情報として、顔全体の画像や眼の部分の画像を採用する場合には、その顔全体の画像や眼の部分の画像の撮影に、携帯端末３０の正面のカメラ３２の反対側に設けられたカメラ３３を使用することができる。
【０５３０】
顔全体の画像や眼の部分の画像の撮影に、カメラ３３を使用することにより、携帯端末３０の正面のカメラ３２を、ゲート表示装置２０に向けるとともに、携帯端末３０の背面のカメラ３３を、ユーザに向けて、重畳画像の撮影と、顔の画像の撮影とを同時に行うことができる。さらに、この場合、ユーザは、重畳画像を撮影した撮影画像に重畳されたID情報を用いたチケット認証と、顔の画像を用いた生体認証によるユーザ認証との認証結果に応じて、携帯端末３０の正面のタッチパネル３１に表示される結果画像を、ゲート係員に提示する動作も、同時に行うことができる。
【０５３１】
イベント等の入場については、第５の要請として、入場ゲートの設置コストか安価で、仮設が可能であることが要請されるが、本技術を適用した入場ゲートシステムによれば、第５の要請に応えることができる。
【０５３２】
本技術を適用した入場ゲートシステムでは、入場ゲート１１、又は、入場ゲート１１の付近に、ゲート表示装置２０を設置するだけで、認証を行う認証サーバを用意することなく、チケット認証（及びユーザ認証）を行うことができる。
【０５３３】
ここで、本明細書において、コンピュータ（CPU４１，５１）がプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。
【０５３４】
また、プログラムは、１のコンピュータ（プロセッサ）により処理されるものであっても良いし、複数のコンピュータによって分散処理されるものであっても良い。さらに、プログラムは、遠方のコンピュータに転送されて実行されるものであっても良い。
【０５３５】
さらに、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０５３６】
なお、本技術の実施の形態は、上述した実施の形態に限定されるものではなく、本技術の要旨を逸脱しない範囲において種々の変更が可能である。
【０５３７】
例えば、本技術は、１つの機能をネットワークを介して複数の装置で分担、共同して処理するクラウドコンピューティングの構成をとることができる。
【０５３８】
また、上述のフローチャートで説明した各ステップは、１つの装置で実行する他、複数の装置で分担して実行することができる。
【０５３９】
さらに、１つのステップに複数の処理が含まれる場合には、その１つのステップに含まれる複数の処理は、１つの装置で実行する他、複数の装置で分担して実行することができる。
【０５４０】
また、本明細書に記載された効果はあくまで例示であって限定されるものではなく、他の効果があってもよい。
【０５４１】
なお、本技術は、以下のような構成をとることができる。
【０５４２】
＜１＞
電子チケットでの入場の可否の判定に用いられるID情報を所定の画像に重畳した重畳画像を撮影した撮影画像から、前記ID情報を抽出する抽出部と、
記憶部に記憶された前記電子チケットと、前記ID情報とを用いて、前記電子チケットでの入場の可否を判定する入場可否判定部と
を備える情報処理装置。
＜２＞
前記重畳画像を提供する提供装置は、前記ID情報を、時間的輝度変化として、前記所定の画像に重畳し、
前記撮影画像は、前記重畳画像をフォーカルプレーンシャッタ方式のカメラで撮影した画像であり、
前記抽出部は、前記撮影画像の空間的輝度変化に基づいて、前記ID情報を抽出する
＜１＞に記載の情報処理装置。
＜３＞
前記提供装置は、
バックライトを有し、画像を表示する表示部を備え、
前記ID情報に従って、前記バックライトの輝度を制御することにより、前記所定の画像に、前記ID情報を重畳する
＜２＞に記載の情報処理装置。
＜４＞
前記提供装置は、
前記所定の画像が印刷された印刷物を照明する照明装置を備え、
前記ID情報に従って、前記照明装置による照明の輝度を制御することにより、前記所定の画像に、前記ID情報を重畳する
＜２＞に記載の情報処理装置。
＜５＞
前記抽出部は、
前記撮影画像の画素のうちの、背景画素のみを対象として、画素値の積分を、ラインごとに行うことにより、ライン積分値を求め、
前記撮影画像のラインすべての前記ライン積分値の平均値に対する前記ライン積分値の偏差を求め、
前記カメラのシャッタの特性を表すシャッタ関数を用いて、前記ライン積分値の偏差のデコンボリューションを行うことで、前記撮影画像に重畳された前記ID情報を分離する
＜２＞ないし＜４＞のいずれかに記載の情報処理装置。
＜６＞
前記カメラは、ラインごとに異なる露光時間である第１の露光時間及び第２の露光時間で、前記重畳画像を撮影し、
前記第１の露光時間は、前記撮影画像の輝度が変化する周期の整数倍の時間であり、
前記抽出部は、
前記重畳画像を、ラインごとに異なる露光時間で撮影することにより得られる前記撮影画像の、前記第１の露光時間で撮影された画素の画素値の積分を、ラインごとに行うことにより、第１の積分値を求めるとともに、前記第２の露光時間で撮影された画素の画素値の積分を、ラインごとに行うことにより、第２の積分値を求め、
前記第２の積分値が、前記ID情報と前記第２の露光時間を表すシャッタ関数とのコンボリューションと、前記第１の積分値との積に比例することを利用して、前記撮影画像に重畳された前記ID情報を分離する
＜２＞ないし＜４＞のいずれかに記載の情報処理装置。
＜７＞
前記電子チケットでの入場の可否の判定結果を表す結果画像を表示する結果表示部をさらに備える
＜１＞ないし＜６＞のいずれかに記載の情報処理装置。
＜８＞
前記結果画像は、前記電子チケットに対応付けられている
＜７＞に記載の情報処理装置。
＜９＞
前記重畳画像を撮影して、前記撮影画像を取得するカメラをさらに備え、
前記カメラ、及び、前記結果表示部は、同一の面に設けられている
＜７＞又は＜８＞に記載の情報処理装置。
＜１０＞
前記結果表示部が前記結果画像を表示した後、前記抽出部が前記ID情報を抽出することができなくなった場合、前記ID情報を抽出することができなくなってから、所定の時間が経過した後に、前記結果表示部に表示された前記結果画像を消去する
＜７＞ないし＜９＞のいずれかに記載の情報処理装置。
＜１１＞
前記記憶部は、前記電子チケットの使用回数を記憶し、
前記入場可否判定部は、前記使用回数が上限値を超えている場合、前記電子チケットでの入場が不可であると判定する
＜１＞ないし＜１０＞のいずれかに記載の情報処理装置。
＜１２＞
ユーザの生体情報を取得する生体センサと、
前記生体情報を用いて、認証を行う認証部と
をさらに備え、
前記生体情報を用いた認証の結果によっても、前記電子チケットでの入場の可否を判定する
＜１＞ないし＜１１＞のいずれかに記載の情報処理装置。
＜１３＞
前記生体センサで取得された生体情報である取得生体情報を、前記電子チケットの最初の使用時に、登録生体情報として、前記電子チケットに対応付けて記憶し、
前記認証部は、前記取得生体情報と前記登録生体情報とを比較することにより、認証を行う
＜１２＞に記載の情報処理装置。
＜１４＞
前記生体センサで取得された生体情報である取得生体情報を、前記電子チケットが使用される前に、登録生体情報として、前記電子チケットに対応付けて記憶し、
前記認証部は、前記取得生体情報と前記登録生体情報とを比較することにより、認証を行う
＜１２＞に記載の情報処理装置。
＜１５＞
前記生体センサは、画像を撮影するカメラであり、
前記認証部は、前記生体センサとしてのカメラで撮影された前記生体情報としての顔の画像を用いて、顔画像認証、又は、虹彩認証を行う
＜１２＞ないし＜１４＞のいずれかに記載の情報処理装置。
＜１６＞
前記生体センサは、指紋を取得する指紋センサであり、
前記認証部は、前記指紋センサで取得された指紋を用いて、指紋認証を行う
＜１２＞ないし＜１４＞のいずれかに記載の情報処理装置。
＜１７＞
前記重畳画像を撮影して、前記撮影画像を取得する第１のカメラと、
前記第１のカメラの背面側に設けられた第２のカメラと
をさらに備え、
前記生体センサは、前記第２のカメラである
＜１２＞ないし＜１５＞のいずれかに記載の情報処理装置。
＜１８＞
電子チケットでの入場の可否の判定に用いられるID情報を所定の画像に重畳した重畳画像を撮影した撮影画像から、前記ID情報を抽出し、
記憶部に記憶された前記電子チケットと、前記ID情報とを用いて、前記電子チケットでの入場の可否を判定する
ステップを含む情報処理方法。
＜１９＞
電子チケットでの入場の可否の判定に用いられるID情報を所定の画像に重畳した重畳画像を撮影した撮影画像から、前記ID情報を抽出する抽出部と、
記憶部に記憶された前記電子チケットと、前記ID情報とを用いて、前記電子チケットでの入場の可否を判定する入場可否判定部と
して、コンピュータを機能させるためのプログラム。
＜２０＞
電子チケットでの入場の可否の判定に用いられるID情報を所定の画像に重畳した重畳画像を提示する提示装置と、
前記提示装置が提示する前記重畳画像を撮影した撮影画像から、前記ID情報を抽出する抽出部と、
記憶部に記憶された前記電子チケットと、前記ID情報とを用いて、前記電子チケットでの入場の可否を判定する入場可否判定部と
を有する情報処理装置と
を備える情報処理システム。
【符号の説明】
【０５４３】
１１  入場ゲート，  １１Ａ  支柱，  １１Ｂ  梁，  ２０  ゲート表示装置，  ２１  表示部，  ２１Ａ  液晶パネル，  ２１Ｂ  バックライト，  ３０  携帯端末，  ３１  タッチパネル，  ３２，３３  カメラ，  ４１  CPU，  ４２  メモリ，  ４３  ハードディスク，  ４４  通信部，  ４５  外部I/F，  ４５Ａ  リムーバブルメディア，  ４６  操作部，  ４７  スピーカ，  ５１  CPU，  ５２  メモリ，  ５３  ストレージ，  ５４  通信部，  ５５  外部I/F，  ５５Ａ  リムーバブルメディア，  ５６  マイク，  ５７  スピーカ，  ５８  表示部，  ５９  位置検出機構，  ７１  ID情報記憶部，  ７２  符号化部，  ７３  制御部，  ７４  クーポン記憶部，  ８１  カメラドライバ，  ８２  抽出部，  ８３  復号部，  ８４  入場可否判定部，  ８５  電子チケット記憶部，  ８６  ディスプレイドライバ，  １０１  背景判定部，  １０２  積分部，  １０３  積分値記憶部，  １０４  偏差算出部，  １０５  分離部，  １０６  エラー訂正部，  １０７  情報記憶部，  １２１  生体センサ，  １２２  生体センサドライバ，  １２３  生体認証部，  ２１０  ゲート表示装置，  ２１１  ポスタ，  ２１２  照明装置，  ３００  ゲート表示装置
【図１】
2016125603.tif 000003
【図２】
2016125603.tif 000004
【図３】
2016125603.tif 000005
【図４】
2016125603.tif 000006
【図５】
2016125603.tif 000007
【図６】
2016125603.tif 000008
【図７】
2016125603.tif 000009
【図８】
2016125603.tif 000010
【図９】
2016125603.tif 000011
【図１０】
2016125603.tif 000012
【図１１】
2016125603.tif 000013
【図１２】
2016125603.tif 000014
【図１３】
2016125603.tif 000015
【図１４】
2016125603.tif 000016
【図１５】
2016125603.tif 000017
【図１６】
2016125603.tif 000018
【図１７】
2016125603.tif 000019
【図１８】
2016125603.tif 000020
【図１９】
2016125603.tif 000021
【図２０】
2016125603.tif 000022
【図２１】
2016125603.tif 000023
【図２２】
2016125603.tif 000024
【図２３】
2016125603.tif 000025
【図２４】
2016125603.tif 000026
【図２５】
2016125603.tif 000027
【図２６】
2016125603.tif 000028
【図２７】
2016125603.tif 000029
【図２８】
2016125603.tif 000030
【国際調査報告】
2016125603.tif 000031
2016125603.tif 000032
2016125603.tif 000033
2016125603.tif 000034